(57)【要約】【課題】  コストアップを最小限に抑え、対象物品の詳細情報を簡単にその場で取得できる物品関連情報提供システム、物品関連情報提供サーバ及び情報端末を提供する。【解決手段】  物品関連情報提供システム１は、吊り広告３やポスター４，店舗のショーウィンドウ５等に貼付されたＲＦＩＤタグと、ＲＦＩＤタグを読み取るＲＦＩＤリーダ６０を備えた情報端末である携帯電話機２と、携帯電話機２と基地局７を介してネットワーク８で接続された物品関連情報提供サーバ６と、ネットワークに接続された、パーソナル・コンピュータ１６及びファクシミリ機能を備えたプリンタ１７とから構成されている。携帯電話機２でＲＦＩＤタグの情報を読み取り、物品関連情報提供サーバ６に対応する情報をリクエストすると、物品関連情報提供サーバ６がデータベースを検索して広告やポスターの内容、陳列物の内容等の物品に関連する情報を提供する。【選択図】  図１
2005182676.tif 000002
【特許請求の範囲】
【請求項１】
物品もしくはその近傍に設けられた無線タグと、当該無線タグに記憶された情報を読み取り可能な情報端末と、当該情報端末とネットワークを介して接続された物品関連情報提供サーバとからなる物品関連情報提供システムであって、
前記情報端末は、
前記無線タグに記憶された情報を読み取る読取手段と、
前記無線タグを特定する無線タグ情報を表示する表示手段と、
当該表示手段に表示された前記無線タグ情報の中から少なくとも１の無線タグ情報を選択する無線タグ情報選択手段と、
当該無線タグ情報選択手段により選択された前記無線タグ情報に対応する物品に関連する物品関連情報を前記物品関連情報提供サーバに要求する物品関連情報要求手段と、
当該物品関連情報要求手段による要求に応じて前記物品関連情報提供サーバから送信された物品関連情報を前記表示手段に表示させる物品関連情報表示制御手段とを備え、
前記物品関連情報提供サーバは、
前記無線タグの無線タグ情報に対応する物品関連情報を記憶した物品関連情報記憶手段と、
前記情報端末から送信された前記物品関連情報要求を受信する物品関連情報要求受信手段と、
当該物品関連情報要求受信手段が受信した前記物品関連情報要求に対応する物品関連情報を前記物品関連情報記憶手段から抽出する物品関連情報抽出手段と、
当該物品関連情報抽出手段が抽出した物品関連情報を前記情報端末に送信する物品関連情報送信手段とを備えたことを特徴とする物品関連情報提供システム。
【請求項２】
前記無線タグを特定する無線タグ情報は、前記無線タグ内に記憶され、
前記読取手段は、当該無線タグ情報を前記無線タグから読み取り、
前記表示手段は、当該読取手段が読み取った無線タグ情報を表示することを特徴とする請求項１に記載の物品関連情報提供システム。
【請求項３】
前記情報端末は、
前記読取手段が読み取った情報に対応する無線タグ情報を前記物品関連情報提供サーバに要求する無線タグ情報要求手段を備え、
前記表示手段は、当該無線タグ情報要求手段による要求に応じて前記物品関連情報提供サーバから送信された無線タグ情報を表示し、
前記物品関連情報提供サーバは、
前記無線タグを特定する無線タグ情報を記憶した無線タグ情報記憶手段と、
前記無線タグ情報要求手段による要求を受信する無線タグ情報要求受信手段と、
当該無線タグ情報要求受信手段が受信した前記無線タグ情報要求に対応する無線タグ情報を前記無線タグ情報記憶手段から抽出する無線タグ情報抽出手段と、
当該無線タグ情報抽出手段が抽出した無線タグ情報を前記情報端末に送信する無線タグ情報送信手段とを備えたことを特徴とする請求項１に記載の物品関連情報提供システム。
【請求項４】
前記物品は、広告媒体であり、
前記物品関連情報要求手段は、前記無線タグ情報に対応する前記広告媒体に掲載された広告に関連する広告情報を物品関連情報として要求し、
前記物品関連情報記憶手段が記憶している物品関連情報は、前記無線タグ情報に対応する広告情報であることを特徴とする請求項１乃至３のいずれかに記載の物品関連情報提供システム。
【請求項５】
前記情報端末は、
前記表示手段に表示された前記物品関連情報の中から、当該物品関連情報のコンテンツ情報を閲覧したい物品関連情報を指定する指定手段と、
当該指定手段により指定された前記物品関連情報に対応するコンテンツ情報の閲覧モードを設定するための閲覧モード設定手段と、
当該閲覧モード設定手段により設定された閲覧モード設定情報を前記物品関連情報提供サーバに要求する閲覧モード設定情報送信手段と、
前記物品関連情報提供サーバは、
前記無線タグ情報に対応する物品関連情報のコンテンツ情報を記憶したコンテンツ情報記憶手段と、
前記情報端末から送信された前記物品関連情報に対応するコンテンツ情報の閲覧モード設定情報を受信する閲覧モード設定情報受信手段と、
当該閲覧モード設定情報受信手段が受信した前記閲覧モード設定情報に従って前記コンテンツ情報を提供するコンテンツ情報提供手段とを備えたことを特徴とする請求項４に記載の物品関連情報提供システム。
【請求項６】
前記閲覧モード設定は、前記情報端末へ前記物品関連情報提供サーバから前記コンテンツ情報を送信して前記情報端末にて閲覧するモード、前記情報端末が指定した外部機器に対して前記物品関連情報提供サーバから前記コンテンツ情報を送信するモード、予め指定された所定の場所に前記コンテンツ情報を掲載した媒体を送付するモードのうち少なくとも１つのモードを含むことを特徴とする請求項５に記載の物品関連情報提供システム。
【請求項７】
物品もしくはその近傍に設けられた無線タグに記憶された情報を読み取り可能な情報端末とネットワークを介して接続された物品関連情報提供サーバであって、
前記無線タグに対応する物品関連情報を記憶した物品関連情報記憶手段と、
前記情報端末から送信された前記無線タグに対応する物品関連情報の要求を受信する物品関連情報要求受信手段と、
当該物品関連情報要求受信手段が受信した前記物品関連情報要求に対応する物品関連情報を前記物品関連情報記憶手段から抽出する物品関連情報抽出手段と、
当該物品関連情報抽出手段が抽出した物品関連情報を前記情報端末に送信する物品関連情報送信手段とを備えたことを特徴とする物品関連情報提供サーバ。
【請求項８】
前記無線タグを特定する無線タグ情報を記憶した無線タグ情報記憶手段と、
前記情報端末から前記無線タグ情報の要求を受信する無線タグ情報要求受信手段と、
当該無線タグ情報要求受信手段が受信した前記無線タグ情報要求に対応する無線タグ情報を前記無線タグ情報記憶手段から抽出する無線タグ情報抽出手段と、
当該無線タグ情報抽出手段が抽出した無線タグ情報を前記情報端末に送信する無線タグ情報送信手段とを備えたことを特徴とする請求項７に記載の物品関連情報提供サーバ。
【請求項９】
前記物品は、広告媒体であり、
前記物品関連情報記憶手段が記憶している物品関連情報は、前記無線タグ情報に対応する広告情報であることを特徴とする請求項７又は８に記載の物品関連情報提供サーバ。
【請求項１０】
前記無線タグ情報に対応する広告情報のコンテンツ情報及び当該コンテンツ情報の閲覧モード設定に関する情報を記憶したコンテンツ情報記憶手段と、
前記情報端末から送信された前記広告情報及びコンテンツ情報の閲覧モード設定情報要求を受信する閲覧モード設定情報要求受信手段と、
当該閲覧モード設定情報要求受信手段が受信した前記広告情報に対応するコンテンツ情報の閲覧モード設定に関する情報を前記コンテンツ情報記憶手段から抽出する閲覧モード設定抽出手段と、
当該閲覧モード設定抽出手段が抽出した閲覧モード設定情報を前記情報端末に送信する閲覧モード設定情報送信手段と、
前記情報端末から送信された閲覧モード設定に従って前記コンテンツ情報を提供するコンテンツ情報提供手段とを備えたことを特徴とする請求項９に記載の広告情報提供サーバ。
【請求項１１】
前記閲覧モード設定は、前記情報端末へ前記広告情報提供サーバから前記コンテンツ情報を送信して前記情報端末にて閲覧するモード、前記情報端末が指定した外部機器に対して前記広告情報提供サーバから前記コンテンツ情報を送信するモード、前記情報端末が指定した場所に前記コンテンツ情報を掲載した媒体を送付するモードのうち少なくとも１つのモードを含むことを特徴とする請求項１０に記載の広告情報提供サーバ。
【請求項１２】
物品関連情報提供サーバとネットワークを介して接続された情報端末であって、
物品もしくはその近傍に設けられた無線タグに記憶された情報を読み取る読取手段と、
前記無線タグを特定する無線タグ情報を表示する表示手段と、
当該表示手段に表示された前記無線タグ情報の中から少なくとも１の無線タグ情報を選択する無線タグ情報選択手段と、
当該無線タグ情報選択手段により選択された前記無線タグ情報に対応する物品関連情報を前記物品関連提供サーバに要求する物品関連情報要求手段と、
当該物品関連情報要求手段による要求に応じて前記物品関連情報提供サーバから送信された物品関連情報を前記表示手段に表示させる物品関連情報表示制御手段とを備えたことを特徴とする情報端末。
【請求項１３】
前記無線タグを特定する無線タグ情報は、前記無線タグ内に記憶され、
前記読取手段は、当該無線タグ情報を前記無線タグから読み取り、
前記表示手段は、当該読取手段が読み取った無線タグ情報を表示することを特徴とする請求項１２に記載の情報端末。
【請求項１４】
前記情報端末は、
前記読取手段が読み取った情報に対応する無線タグ情報を前記物品関連情報提供サーバに要求する無線タグ情報要求手段を備え、
前記表示手段は、当該無線タグ情報要求手段による要求に応じて前記物品関連情報提供サーバから送信された無線タグ情報を表示することを特徴とする請求項１２に記載の情報端末。
【請求項１５】
前記物品は、広告媒体であり、
前記物品関連情報要求手段は、前記無線タグ情報に対応する前記広告媒体に掲載された広告に関連する広告情報を物品関連情報として要求することを特徴とする請求項１２乃至１４のいずれかに記載の情報端末。
【請求項１６】
前記表示手段に表示された前記物品関連情報の中から、当該物品関連情報のコンテンツ情報を閲覧したい物品関連情報を指定する指定手段と、
当該指定手段により指定された前記物品関連情報を前記物品関連情報提供サーバに送信し、当該広告情報に対応するコンテンツ情報の閲覧モード設定に関する情報を前記広告情報提供サーバに要求する閲覧モード設定情報要求手段と、
前記物品関連情報提供サーバから送信された閲覧モード設定情報を前記表示手段に表示させる閲覧モード設定表示制御手段と、
前記表示された閲覧モード設定情報の中から少なくとも１の閲覧モード設定を選択する閲覧モード設定選択手段と、
当該閲覧モード設定選択手段が選択した閲覧モード設定を前記物品関連情報提供サーバに送信する閲覧モード設定送信手段とを備えたことを特徴とする請求項１５に記載の情報端末。
【請求項１７】
前記閲覧モード設定は、前記情報端末へ前記物品関連情報提供サーバから前記コンテンツ情報を送信して前記情報端末にて閲覧するモード、前記情報端末が指定した外部機器に対して前記物品関連情報提供サーバから前記コンテンツ情報を送信するモード、前記情報端末が指定した場所に前記コンテンツ情報を掲載した媒体を送付するモードのうち少なくとも１つのモードを含むことを特徴とする請求項１６に記載の情報端末。
【発明の詳細な説明】
【技術分野】
【０００１】
本発明は、広告やショーウィンドウのディスプレイ等の対象である物品についての詳細情報を提供するための物品関連情報提供システム、物品関連情報提供サーバ及び情報端末に関するものである。
【背景技術】
【０００２】
一般に、駅構内や列車内、街頭等には、さまざまな広告や掲示物等が人目を引くように設置されている。このような広告や掲示物等を見た人は、その対象の商品やサービス等に興味を覚え、詳細を知りたいと思ったり、雑誌や書籍等の広告では内容の一部を閲覧したいという希望を持つことがある。このような消費者の希望に応えるため、近時は広告や掲示物等にインターネットのＵＲＬ（Uniform Resource Locators）が記載され、そのＵＲＬにアクセスすることにより詳細情報が得られるようにしていることも多いが、ＵＲＬを入力する手間がかかり、その場ですぐに詳細情報が得られるものではない。また、服飾店のショーウィンドウ等には、商品が購買意欲をそそる形態でディスプレイされているが、その場で商品についての価格や製造元等の詳細情報は得られないことが多い。
【０００３】
そこで、非接触で情報の書き込みや読み出しが可能な無線タグ等を詳細情報の記憶媒体として利用し、ここから情報を読み出すことも提案されている。例えば、特許文献１には、広告情報を記憶した非接触式ＩＣカードをポスターにとりつけ、携帯情報端末から非接触式ＩＣカードになされるリクエストに応じて広告情報を携帯情報端末に送信する方法が記載されている。また、特許文献２には、広告媒体に無線タグを添付し、端末装置から送信される電波に応えて記憶されている情報を反射波として送出する情報提供方法が開示されている。
【特許文献１】特開２００２−７２９４１号公報
【特許文献２】特開２００２−２６８５９３号公報
【発明の開示】
【発明が解決しようとする課題】
【０００４】
しかしながら、上記の無線タグを用いた方法では、広告等の対象物に関する詳細情報を無線タグ自体に記憶させ、その無線タグを広告媒体に添付する構成であるため、個々の広告媒体等にあわせて詳細情報を記憶するための大容量記憶装置を備えた無線タグを用意しなければならず、該無線タグとして高価なものが必要となり、広告媒体のコストアップを招くという問題があった。
【０００５】
本発明は上記問題を解決するためになされたものであり、コストアップを最小限に抑えることができ、対象物品の詳細情報を簡単にその場で取得できるようにする物品関連情報提供システム、物品関連情報提供サーバ及び情報端末を提供することを目的とする。
【課題を解決するための手段】
【０００６】
上記目的を達成するために、本出願の第１の発明は、物品もしくはその近傍に設けられた無線タグと、当該無線タグに記憶された情報を読み取り可能な情報端末と、当該情報端末とネットワークを介して接続された物品関連情報提供サーバとからなる物品関連情報提供システムであって、前記情報端末は、前記無線タグに記憶された情報を読み取る読取手段と、前記無線タグを特定する無線タグ情報を表示する表示手段と、当該表示手段に表示された前記無線タグ情報の中から少なくとも１の無線タグ情報を選択する無線タグ情報選択手段と、当該無線タグ情報選択手段により選択された前記無線タグ情報に対応する物品に関連する物品関連情報を前記物品関連情報提供サーバに要求する物品関連情報要求手段と、当該物品関連情報要求手段による要求に応じて前記物品関連情報提供サーバから送信された物品関連情報を前記表示手段に表示させる物品関連情報表示制御手段とを備え、前記物品関連情報提供サーバは、前記無線タグの無線タグ情報に対応する物品関連情報を記憶した物品関連情報記憶手段と、前記情報端末から送信された前記物品関連情報要求を受信する物品関連情報要求受信手段と、当該物品関連情報要求受信手段が受信した前記物品関連情報要求に対応する物品関連情報を前記物品関連情報記憶手段から抽出する物品関連情報抽出手段と、当該物品関連情報抽出手段が抽出した物品関連情報を前記情報端末に送信する物品関連情報送信手段とを備えている。
【０００７】
また、本発明は、前記無線タグを特定する無線タグ情報が、前記無線タグ内に記憶され、前記読取手段は、当該無線タグ情報を前記無線タグから読み取り、前記表示手段は、当該読取手段が読み取った無線タグ情報を表示してもよい。
【０００８】
また、本発明は、前記情報端末が、前記読取手段が読み取った情報に対応する無線タグ情報を前記物品関連情報提供サーバに要求する無線タグ情報要求手段を備え、前記表示手段は、当該無線タグ情報要求手段による要求に応じて前記物品関連情報提供サーバから送信された無線タグ情報を表示し、前記物品関連情報提供サーバは、前記無線タグを特定する無線タグ情報を記憶した無線タグ情報記憶手段と、前記無線タグ情報要求手段による要求を受信する無線タグ情報要求受信手段と、当該無線タグ情報要求受信手段が受信した前記無線タグ情報要求に対応する無線タグ情報を前記無線タグ情報記憶手段から抽出する無線タグ情報抽出手段と、当該無線タグ情報抽出手段が抽出した無線タグ情報を前記情報端末に送信する無線タグ情報送信手段とを備えてもよい。
【０００９】
また、本発明は、前記物品が、広告媒体であり、前記物品関連情報要求手段は、前記無線タグ情報に対応する前記広告媒体に掲載された広告に関連する広告情報を物品関連情報として要求し、前記物品関連情報記憶手段が記憶している物品関連情報は、前記無線タグ情報に対応する広告情報であってもよい。
【００１０】
また、本発明は、前記情報端末が、前記表示手段に表示された前記物品関連情報の中から、当該物品関連情報のコンテンツ情報を閲覧したい物品関連情報を指定する指定手段と、当該指定手段により指定された前記物品関連情報に対応するコンテンツ情報の閲覧モードを設定するための閲覧モード設定手段と、当該閲覧モード設定手段により設定された閲覧モード設定情報を前記物品関連情報提供サーバに要求する閲覧モード設定情報送信手段と、前記物品関連情報提供サーバは、前記無線タグ情報に対応する物品関連情報のコンテンツ情報を記憶したコンテンツ情報記憶手段と、前記情報端末から送信された前記物品関連情報に対応するコンテンツ情報の閲覧モード設定情報を受信する閲覧モード設定情報受信手段と、当該閲覧モード設定情報受信手段が受信した前記閲覧モード設定情報に従って前記コンテンツ情報を提供するコンテンツ情報提供手段とを備えてもよい。
【００１１】
また、本発明は、前記閲覧モード設定が、前記情報端末へ前記物品関連情報提供サーバから前記コンテンツ情報を送信して前記情報端末にて閲覧するモード、前記情報端末が指定した外部機器に対して前記物品関連情報提供サーバから前記コンテンツ情報を送信するモード、予め指定された所定の場所に前記コンテンツ情報を掲載した媒体を送付するモードのうち少なくとも１つのモードを含んでいてもよい。
【００１２】
また、本出願の第２の発明は、物品もしくはその近傍に設けられた無線タグに記憶された情報を読み取り可能な情報端末とネットワークを介して接続された物品関連情報提供サーバであって、前記無線タグに対応する物品関連情報を記憶した物品関連情報記憶手段と、前記情報端末から送信された前記無線タグに対応する物品関連情報の要求を受信する物品関連情報要求受信手段と、当該物品関連情報要求受信手段が受信した前記物品関連情報要求に対応する物品関連情報を前記物品関連情報記憶手段から抽出する物品関連情報抽出手段と、当該物品関連情報抽出手段が抽出した物品関連情報を前記情報端末に送信する物品関連情報送信手段とを備えている。
【００１３】
また、本発明は、前記無線タグを特定する無線タグ情報を記憶した無線タグ情報記憶手段と、前記情報端末から前記無線タグ情報の要求を受信する無線タグ情報要求受信手段と、当該無線タグ情報要求受信手段が受信した前記無線タグ情報要求に対応する無線タグ情報を前記無線タグ情報記憶手段から抽出する無線タグ情報抽出手段と、当該無線タグ情報抽出手段が抽出した無線タグ情報を前記情報端末に送信する無線タグ情報送信手段とを備えてもよい。
【００１４】
また、本発明は、前記物品が、広告媒体であり、前記物品関連情報記憶手段が記憶している物品関連情報は、前記無線タグ情報に対応する広告情報であってもよい。
【００１５】
また、本発明は、前記無線タグ情報に対応する広告情報のコンテンツ情報及び当該コンテンツ情報の閲覧モード設定に関する情報を記憶したコンテンツ情報記憶手段と、前記情報端末から送信された前記広告情報及びコンテンツ情報の閲覧モード設定情報要求を受信する閲覧モード設定情報要求受信手段と、当該閲覧モード設定情報要求受信手段が受信した前記広告情報に対応するコンテンツ情報の閲覧モード設定に関する情報を前記コンテンツ情報記憶手段から抽出する閲覧モード設定抽出手段と、当該閲覧モード設定抽出手段が抽出した閲覧モード設定情報を前記情報端末に送信する閲覧モード設定情報送信手段と、前記情報端末から送信された閲覧モード設定に従って前記コンテンツ情報を提供するコンテンツ情報提供手段とを備えてもよい。
【００１６】
また、本発明は、前記閲覧モード設定が、前記情報端末へ前記広告情報提供サーバから前記コンテンツ情報を送信して前記情報端末にて閲覧するモード、前記情報端末が指定した外部機器に対して前記広告情報提供サーバから前記コンテンツ情報を送信するモード、前記情報端末が指定した場所に前記コンテンツ情報を掲載した媒体を送付するモードのうち少なくとも１つのモードを含んでいてもよい。
【００１７】
また、本出願の第３の発明は、物品関連情報提供サーバとネットワークを介して接続された情報端末であって、物品もしくはその近傍に設けられた無線タグに記憶された情報を読み取る読取手段と、前記無線タグを特定する無線タグ情報を表示する表示手段と、当該表示手段に表示された前記無線タグ情報の中から少なくとも１の無線タグ情報を選択する無線タグ情報選択手段と、当該無線タグ情報選択手段により選択された前記無線タグ情報に対応する物品関連情報を前記物品関連提供サーバに要求する物品関連情報要求手段と、当該物品関連情報要求手段による要求に応じて前記物品関連情報提供サーバから送信された物品関連情報を前記表示手段に表示させる物品関連情報表示制御手段とを備えている。
【００１８】
また、本発明は、前記無線タグを特定する無線タグ情報が、前記無線タグ内に記憶され、前記読取手段は、当該無線タグ情報を前記無線タグから読み取り、前記表示手段は、当該読取手段が読み取った無線タグ情報を表示してもよい。
【００１９】
また、本発明は、前記情報端末が、前記読取手段が読み取った情報に対応する無線タグ情報を前記物品関連情報提供サーバに要求する無線タグ情報要求手段を備え、前記表示手段は、当該無線タグ情報要求手段による要求に応じて前記物品関連情報提供サーバから送信された無線タグ情報を表示してもよい。
【００２０】
また、本発明は、前記物品が、広告媒体であり、前記物品関連情報要求手段は、前記無線タグ情報に対応する前記広告媒体に掲載された広告に関連する広告情報を物品関連情報として要求してもよい。
【００２１】
また、本発明は、前記表示手段に表示された前記物品関連情報の中から、当該物品関連情報のコンテンツ情報を閲覧したい物品関連情報を指定する指定手段と、当該指定手段により指定された前記物品関連情報を前記物品関連情報提供サーバに送信し、当該広告情報に対応するコンテンツ情報の閲覧モード設定に関する情報を前記広告情報提供サーバに要求する閲覧モード設定情報要求手段と、前記物品関連情報提供サーバから送信された閲覧モード設定情報を前記表示手段に表示させる閲覧モード設定表示制御手段と、前記表示された閲覧モード設定情報の中から少なくとも１の閲覧モード設定を選択する閲覧モード設定選択手段と、当該閲覧モード設定選択手段が選択した閲覧モード設定を前記物品関連情報提供サーバに送信する閲覧モード設定送信手段とを備えてもよい。
【００２２】
また、本発明は、前記閲覧モード設定が、前記情報端末へ前記物品関連情報提供サーバから前記コンテンツ情報を送信して前記情報端末にて閲覧するモード、前記情報端末が指定した外部機器に対して前記物品関連情報提供サーバから前記コンテンツ情報を送信するモード、前記情報端末が指定した場所に前記コンテンツ情報を掲載した媒体を送付するモードのうち少なくとも１つのモードを含んでいてもよい。
【発明の効果】
【００２３】
本発明の物品関連情報提供システムでは、物品もしくはその近傍に無線タグが備えられ、その無線タグに記憶された情報を情報端末で読み取り、その無線タグ情報に対応する物品の関連情報を情報端末から物品関連情報提供サーバに要求する。物品関連情報提供サーバでは、情報端末からの要求に応えて、無線タグ情報に対応する物品関連情報を取り出して情報端末に送信する。従って、物品に付される無線タグには識別情報やＩＤ等の最小限の情報を記憶させ、物品関連情報提供サーバに詳細な物品関連情報を用意しておけば、簡単な構成で利用者にその場で詳細な情報を提供することができる。
【００２４】
また、無線タグには無線タグを特定する情報を記憶させ、情報端末がその無線タグ情報を読み取って表示するようにすれば、複数の無線タグと情報端末が更新するような場合であっても、利用者が簡単に目的の物品に対応する無線タグを選択することができる。
【００２５】
また、無線タグを特定する無線タグ情報を物品関連情報提供サーバに記憶させ、情報端末で無線タグに記憶された情報を読み取った後、無線タグ情報を物品関連情報提供サーバに要求し、これに応えて送信された無線タグ情報を情報端末の表示手段に表示させて、利用者の選択を促すようにすれば、無線タグ側には識別情報のみ記憶させておくだけで、本発明の構成を実現できる。このため、無線タグの設置時に無線タグ情報の書き込みが不要である。
【００２６】
また、無線タグが付けられる物品に広告媒体を用いれば、広告媒体に掲載されている広告の詳細等を物品関連情報として物品関連情報提供サーバから情報端末に送信できる。広告媒体上の広告表現では、詳細情報が省略されることが多く、関連情報を得たいという希望が強いが、この構成により、このような利用者のニーズにその場で応えることができる。
【００２７】
また、広告媒体に掲載されている広告が、雑誌や書籍の広告のようなコンテンツを有するものの広告である場合には、物品関連情報に対応させてコンテンツ情報を物品関連情報提供サーバに記憶させておき、利用者が閲覧モードを指定することによってコンテンツ情報を提供することができる。
【００２８】
さらに、コンテンツ情報の閲覧モードの指定として、その場でダウンロードして閲覧したり、指定のパーソナル・コンピュータやファクシミリに対して送信し、後で閲覧できるようにしたり、雑誌や書籍などの媒体を送付したりするように構成すれば、コンテンツを有する媒体の広告の場合に、より利用者に便利な手段を提供できる。
【００２９】
次に、本発明の物品関連情報提供サーバでは、物品に付けられた無線タグの情報を読み取った情報端末からの要求に応えて、無線タグ情報に対応する物品関連情報を取り出して情報端末に送信する。従って、物品に付される無線タグには識別情報やＩＤ等の最小限の情報を記憶させ、物品関連情報提供サーバに詳細な物品関連情報を用意しておけば、簡単な構成で利用者にその場で詳細な情報を提供することができる。
【００３０】
また、無線タグを特定する無線タグ情報を物品関連情報提供サーバに記憶させ、無線タグに記憶された情報を読み取った情報端末からの要求に応えてその無線タグ情報を送信すれば、情報端末では無線タグ情報を表示手段に表示させて、利用者の選択を促すことができる。このため、無線タグの設置時には無線タグ情報の書き込みが不要である。
【００３１】
また、無線タグが付けられる物品に広告媒体を用いれば、広告媒体に掲載されている広告の詳細等を物品関連情報として物品関連情報提供サーバから情報端末に送信できる。広告媒体上の広告表現では、詳細情報が省略されることが多く、関連情報を得たいという希望が強いが、この構成により、このような利用者のニーズにその場で応えることができる。
【００３２】
また、広告媒体に掲載されている広告が、雑誌や書籍の広告のようなコンテンツを有するものの広告である場合には、物品関連情報に対応させてコンテンツ情報を物品関連情報提供サーバに記憶させておき、利用者が閲覧モードを指定することによってコンテンツ情報を提供することができる。
【００３３】
さらに、コンテンツ情報の閲覧モードの指定として、その場でダウンロードして閲覧したり、指定のパーソナル・コンピュータやファクシミリに対して送信し、後で閲覧できるようにしたり、雑誌や書籍などの媒体を送付したりするように構成すれば、コンテンツを有する媒体の広告の場合に、より利用者に便利な手段を提供できる。
【００３４】
次に、本発明の情報端末では、物品に付けられた無線タグに記憶された情報を読み取り、その無線タグ情報に対応する物品の関連情報を物品関連情報提供サーバに要求する。そして、物品関連情報提供サーバから送信される無線タグ情報に対応する物品関連情報を表示する。従って、情報端末の利用者は、その場で物品に関する詳細な関連情報を入手することができる。
【００３５】
また、無線タグには無線タグを特定する情報を記憶させ、情報端末がその無線タグ情報を読み取って表示するようにすれば、物品関連情報提供サーバに接続する前に、無線タグを特定する情報を表示させることができるので、複数の無線タグと情報端末が更新するような場合であっても、利用者が簡単に目的の物品に対応する無線タグを選択することができる。
【００３６】
また、情報端末で無線タグに記憶された情報を読み取った後、無線タグ情報を物品関連情報提供サーバに要求し、これに応えて送信された無線タグ情報を情報端末の表示手段に表示させて、利用者の選択を促すようにすれば、無線タグ側には識別情報のみ記憶させておくだけで、本発明の構成を実現できる。このため、無線タグの設置時に無線タグ情報の書き込みが不要である。
【００３７】
また、無線タグが付けられる物品に広告媒体を用いれば、広告媒体に掲載されている広告の詳細等を物品関連情報として物品関連情報提供サーバに要求できる。広告媒体上の広告表現では、詳細情報が省略されることが多く、関連情報を得たいという希望が強いが、この構成により、このような情報端末の利用者のニーズにその場で応えることができる。
【００３８】
また、広告媒体に掲載されている広告が、雑誌や書籍の広告のようなコンテンツを有するものの広告である場合には、利用者が閲覧モードを指定した上で、物品関連情報に対応するコンテンツ情報を物品関連情報提供サーバに要求することができる。
【００３９】
さらに、コンテンツ情報の閲覧モードの指定として、その場で情報端末にダウンロードして閲覧したり、ＰＣＦａｘ機能を有するサーバ等に送信指示を行なうことにより指定のパーソナル・コンピュータやファクシミリに対して送信し、後で閲覧できるようにしたり、雑誌や書籍などの媒体を送付したりするように構成すれば、コンテンツを有する媒体の広告の場合に、より利用者に便利な手段を提供できる。
【発明を実施するための最良の形態】
【００４０】
次に本発明を実施するための最良の形態について図面を参照して説明する。まず、本発明を適用した物品関連情報提供システム１の構成について説明する。図１は第１の実施の形態の物品関連情報提供システム１の全体概念図である。図２は、物品関連情報提供システム１を構成する携帯電話機２及びＲＦＩＤタグ１９の外観図である。
【００４１】
図１に示すように、物品関連情報提供システム１は、吊り広告３やポスター４，店舗のショーウィンドウ５等もしくはその近傍に貼付された無線タグとしてのＲＦＩＤタグと、ＲＦＩＤタグを読み取る読取手段としてのＲＦＩＤリーダ６０を備えた情報端末である携帯電話機２と、携帯電話機２と基地局７を介してネットワーク８で接続された物品関連情報提供サーバ６と、ネットワークに接続された、パーソナル・コンピュータ（以下、「ＰＣ」という。）１６及びファクシミリ機能を備えたプリンタ（以下、「ＦＡＸプリンタ」という。）１７とから構成されている。
【００４２】
吊り広告３は、例えば電車やバスの車内などの移動車両中にクリップなどに挟み込まれる形態で設置されている。吊り広告３が設置されるクリップ部からなる広告枠１３には、広告場所を示すＲＦＩＤタグである広告場所タグ９が付されている。広告場所タグ９には、広告枠１３を識別する場所ＩＤを含む広告場所タグ９を特定する情報が記憶されている。広告場所タグ９に格納されている情報はＲＦＩＤタグリーダ６０によって読取り可能となっている。尚、吊り広告３は、つり下げられる形状に限らず、車両の壁面やドアに貼られているものであってもよい。また、広告枠１３や天井等が金属で形成されている場合には、前記広告場所タグ９が金属面に取り付けられても通信可能なタイプの無線タグを使用することにより対応可能である。
【００４３】
また、駅の構内や街頭に掲示されるポスター４の設置場所である掲示枠１４にも、掲示場所を示すＲＦＩＤタグである掲示場所タグ１０が付されている。掲示場所タグ１０には、掲示枠１４の設置場所を識別する場所ＩＤを含む掲示場所タグを特定する情報が記憶されている。掲示場所タグ１０に格納されている情報はＲＦＩＤタグリーダ６０によって読取り可能となっている。
【００４４】
また、百貨店やブティック等の店舗のショーウィンドウ５にも、展示場所を示すＲＦＩＤタグである展示場所タグ１１が付されている。展示場所タグ１１には、ショーウィンドウ５を識別する場所ＩＤを含む展示場所タグを特定する情報が記憶されている。展示場所タグ１１に格納されている情報はＲＦＩＤタグリーダ６０によって読取り可能となっている。
【００４５】
携帯電話機２には、オプションユニットとしてＲＦＩＤタグリーダ６０が具備されている。ＲＦＩＤタグリーダ６０は、利用者の指示によりスキャン電波を発信し、近傍にＲＦＩＤタグが存在する場合には、当該ＲＦＩＤタグから情報を読取るものである。
【００４６】
一方、物品関連情報提供サーバ６は、ネットワーク８を介して携帯電話機２の基地局７に接続しており、後述するように、携帯電話機２からのリクエストに従ってＲＦＩＤタグのタグ情報に対応する物品関連情報をデータベースから検索して携帯電話機２に送信する。
【００４７】
図２に示すように、携帯電話機２は、送話用のマイク５１と、受話用のスピーカ５２と、表示用の液晶である表示手段としてのＬＣＤ５３と、ボタンスイッチを備えたキー５４と、基地局７との間で電波を授受して無線通信を実行するアンテナ５５とを備えている。さらに、携帯電話機２は、広告場所タグ９、掲示場所タグ１０、展示場所タグ１１から読取ったタグ情報を選択指示するための決定ボタン５６と、これらのＲＦＩＤタグに関する処理メニューを表示させるためのメニューボタン５７と、広告場所タグ９、掲示場所タグ１０、展示場所タグ１１から読取ったタグ情報に関する処理を中断指示するためのキャンセルボタン５８とを備えている。
【００４８】
また、携帯電話機２には、広告場所タグ９、掲示場所タグ１０、展示場所タグ１１（以下総称する場合は「ＲＦＩＤタグ１９」という）との間で無線通信を実行してＲＦＩＤタグ１９からタグ情報を読み出すＲＦＩＤタグリーダ６０が備えられている。ＲＦＩＤタグリーダ６０は、ＲＦＩＤタグ１９との通信を仲介するＲＦＩＤタグリーダ用アンテナ６１と、ＲＦＩＤタグ１９との間で送受信するデータを処理する本体であるＲＦＩＤタグリーダユニット６２とから構成されている。
【００４９】
また、図２に示すように、広告場所タグ９、掲示場所タグ１０、展示場所タグ１１として添付されるＲＦＩＤタグ１９はいわゆるタグ型形状をしている。ＲＦＩＤタグ１９は形状や特性が多様に存在しており、例えば、ラベル形、カード形、コイン形等が存在する。これらの形状はそのＲＦＩＤタグの使用用途によっても異なり、例えば人が持つものは、カード形あるいはラベル形をキーホルダ形状に加工したものが用いられることが多い。また、その大きさも数ｍｍ単位のものから数ｃｍ程度ものまで、各種のサイズのものが存在する。本発明の物品関連情報提供システムにおいて使用されるＲＦＩＤタグ１９は、その形状やサイズは広告主や設計者の任意で自由に設定できるが、少なくとも吊り広告３、ポスター４、ショーウィンドウ５等もしくはその近傍に簡易に添付できる小型サイズのものであればよい。
【００５０】
なお、ＲＦＩＤタグ１９は、広告場所タグ９、掲示場所タグ１０、展示場所タグ１１に共通の物を使用するものとする。また、通信距離は、１ｍｍ程度のものから５ｍ程度のものまで存在し、システムの用途に最適なものが使用される。本発明の物品関連情報提供システムにおいて使用されるＲＦＩＤタグ１９は、その通信距離においても広告主や設計者の任意で自由に設定すればよいが、少なくともユーザの携帯電話機２の所持位置から、広告場所タグ９が付された吊り広告３が掲げられている高さ、ポスター４の掲示場所タグ１０の設置場所、ショーウィンドウ５内の展示場所タグ１１の設置場所まで、通信可能であればよい。
【００５１】
次に、図３乃至図６を参照して、物品関連情報提供システム１を構成する携帯電話機２，ＲＦＩＤタグリーダ６０，ＲＦＩＤタグ１９，物品関連情報提供サーバ６の電気的構成について説明する。図３は、携帯電話機２の電気的構成を示すブロック図である。図４は、ＲＦＩＤタグリーダ６０の電気的構成を示すブロック図である。図５は、ＲＦＩＤタグ１９の電気的構成を示すブロック図である。図６は、物品関連情報提供サーバ６の電気的構成を示すブロック図である。なお、図２に示すものと同一の構成には同一の符号を使用し、その詳細な説明は省略してある。
【００５２】
図３に示すように、携帯電話機２は、携帯電話機２全体の動作の制御を司るＣＰＵ１０１と、ＣＰＵ１０１によって実行されるプログラムやＢＩＯＳ等を記憶するＲＯＭ１０２と、各種のデータを一時的に記憶するＲＡＭ１０３とを備えている。
【００５３】
また、携帯電話機２は、マイク５１から入力された音声信号をデジタル化したりデジタルの音声データをアナログ化してスピーカ５２から出力するための音声コーデック部１０４と、音声コーデック部１０４で処理された音声データを転送するために通信方式に応じた手続き処理を行うベースバンドコントローラ１０５と、アンテナ５５を介して送出する信号を変調したりアンテナ５５を介して受信した高周波信号を復調する無線コントローラ１０６と、キー５４，決定ボタン５６，メニューボタン５７，キャンセルボタン５８からの入力およびＬＣＤ５３への出力を制御するユーザインタフェイスコントローラ１０７と、所定の時間をカウントするタイマ１及びタイマ２からなるタイマ機能及び日時を計測するカレンダ機能を備える日時処理部１０８と、ＲＦＩＤタグリーダ６０と有効に接続するための入出力インタフェイスである拡張Ｉ／Ｏインタフェイス１０９と、携帯電話機２の全体の回路とＲＦＩＤタグリーダ６０とに電力を供給する電源１１０とを備えている。
【００５４】
このような構成によって、携帯電話機２は通常の携帯電話機として無線通信を実行できるとともに、ＲＦＩＤタグリーダ６０と接続されて、ＲＦＩＤタグ１９からのタグ情報の読取りを実行するための情報端末として機能する。なお、本発明における携帯電話機２は、少なくともＲＦＩＤタグ１９から読取ったタグ情報を編集、表示等するための情報端末として機能できればよい。なお、情報端末としては、携帯電話機に限らず、ＰＤＡやノートパソコンなどにＲＦＩＤタグリーダを接続したものを用いることができる。
【００５５】
また、図４に示すように、ＲＦＩＤタグリーダ６０は、ＲＦＩＤタグリーダ６０の全体の駆動を制御するための制御回路２０１と、ＲＦＩＤタグ１９へ送信する信号やＲＦＩＤタグ１９より受信する信号に関する処理を行う信号処理回路２０２とを備えている。制御回路２０１及び信号処理回路２０２は、携帯電話機２の拡張Ｉ／Ｏインタフェイス１０９（図３参照）と有効に接続されて、携帯電話機２と各種データの授受が可能に構成されている。そして、ＲＦＩＤタグ１９からのタグ情報の読取り時には、ＲＦＩＤタグリーダ６０が読取ったタグ情報が携帯電話機２へ伝達されて、携帯電話機２にてタグ情報の表示及び選択等が可能となっている。また、ＲＦＩＤタグリーダ６０に電力を供給する電源２５０を備える。
【００５６】
詳細には、ＲＦＩＤタグリーダ６０は、ＲＦＩＤタグ１９に対して信号を送信する送信部２１０と、そのＲＦＩＤタグ１９からの反射波を受信する受信部２１２とから成り、その送信部２１０は、ＲＦＩＤタグ１９に情報を書込むための搬送波を発生させる搬送波発生部２１４と、信号処理回路２０２から供給される信号に基づいて搬送波発生部２１４により発生させられた搬送波を変調する搬送波変調部２２０と、その搬送波変調部２２０により変調された変調波を増幅する変調波増幅部として機能する送信アンプ２２２とを、備えて構成されている。搬送波発生部２１４により発生させられる搬送波は、好適には、ＵＨＦ帯の信号が使用される。送信アンプ２２２の出力は、送受分離器２２４を介してＲＦＩＤタグリーダ用アンテナ６１から出力されて、送信信号としてＲＦＩＤタグ１９に送信される。
【００５７】
一方、ＲＦＩＤタグリーダ用アンテナ６１により受信されたＲＦＩＤタグ１９からの反射波は、送受分離器２２４を介して受信部２１２に入力されて、反射波を増幅する反射波増幅部として機能する受信アンプ２２１に入力される。その受信部２１２は、ＲＦＩＤタグリーダ用アンテナ６１により受信されたＲＦＩＤタグ１９からの反射波と搬送波発生部２１４により発生させられた搬送波とを掛け合わせる第１ミキサ２２６と、その第１ミキサ２２６の出力から必要な帯域の信号のみを取り出すための第１バンドパスフィルタ２２７と、その第１バンドパスフィルタ２２７の出力を増幅して第１リミッタ２３０に供給する第１アンプ２２８とを備えている。
【００５８】
また、搬送波発生部２１４により発生させられた搬送波の位相を９０°ずらす位相変換器２４０を備え、位相変換器２４０により位相がずらされた搬送波とＲＦＩＤタグリーダ用アンテナ６１により受信されたＲＦＩＤタグ１９の反射波とを掛け合わせる第２ミキサ２３２と、その第２ミキサ２３２から必要な帯域の信号のみを取り出すための第２バンドパスフィルタ２３３と、その第２バンドパスフィルタ２３３の出力を増幅して第２リミッタ２３６に供給する第２アンプ２３４とを備えている。
【００５９】
第１リミッタ２３０から出力される信号及び第２リミッタ２３６から出力される信号は、信号処理回路２０２に入力されて処理される。また、第１アンプ２２８及び第２アンプ２３４からの出力信号はＲＳＳＩ（Received Signal Strength Indicator）２３８にも入力され、それらの信号の強度を示す信号ＲＳＳＩが信号処理回路２０２に入力されるようになっている。すなわち、本発明におけるＲＦＩＤタグリーダ６０では、いわゆるＩ−Ｑ直交復調によりＲＦＩＤタグ１９からの反射波の復調が行われて、ＲＦＩＤタグ１９からのタグ情報を取得する。
【００６０】
このような構成によって、ＲＦＩＤタグリーダ６０は、ＲＦＩＤタグ１９と無線通信を行って、ＲＦＩＤタグ１９への各種情報の書込みまたはＲＦＩＤタグ１９からのタグ情報の読取りを行うものであるが、本発明におけるＲＦＩＤタグリーダ６０は、少なくともＲＦＩＤタグ１９からのタグ情報の読取り機能があればよい。すなわち、本発明におけるＲＦＩＤタグリーダ６０は、制御回路２０１及び信号処理回路２０２により一定間隔で供給される所定の問い合わせ信号に基づいて搬送波を送出し、ＲＦＩＤタグ１９から返送される反射波を信号処理回路２０２にて復調して、ＲＦＩＤタグ１９からのタグ情報を取得できればよい。
【００６１】
また、図５に示すように、ＲＦＩＤタグ１９は、ＲＦＩＤタグリーダ６０のＲＦＩＤタグリーダ用アンテナ６１と静電結合して通信を行うアンテナ部３０１と、そのアンテナ部３０１により受信された搬送波を整流する整流部３０２と、その整流部３０２により整流された搬送波のエネルギを蓄積するための電源部３０３と、アンテナ部３０１により受信された搬送波からクロック信号を抽出して制御部３０７に供給するクロック抽出部３０４と、所定の情報信号を記憶し得る情報記憶部として機能するメモリ部３０５と、アンテナ部３０１に接続された変復調部３０６と、整流部３０２、クロック抽出部３０４、及び変復調部３０６等を介してＲＦＩＤタグ１９の作動を制御するための制御部３０７とを、備えて構成されている。この制御部３０７は、ＲＦＩＤタグリーダ６０と通信を行うことにより上記メモリ部３０５に所定の情報を記憶する制御や、アンテナ部３０１により受信された搬送波を変復調部３０６においてメモリ部３０５に記憶された情報信号に基づいて変調したうえで反射波としてアンテナ部３０１から反射返信する制御等の基本的な制御を実行する。すなわち、本発明におけるＲＦＩＤタグ１９は、ＲＦＩＤタグリーダ６０から一定間隔で送信される問い合わせの搬送波を受信したら、メモリ部３０５に記憶するタグ情報を反射波としてアンテナ部３０１から反射返信する。
【００６２】
次に、図６に示すように、物品関連情報提供サーバ６は、周知のワークステーションの構成からなり、物品関連情報提供サーバ６の制御を司るＣＰＵ２０が設けられ、ＣＰＵ２０には、ＢＩＯＳ等を記憶したＲＯＭ２１と、各種のデータを一時的に記憶するＲＡＭ２２と、データの受け渡しの仲介を行うＩ／Ｏインタフェイス４０とが接続されている。Ｉ／Ｏインタフェイス４０には、インターネットを介して携帯電話機２の基地局７と接続するための通信制御を行う通信制御インタフェイス４１が接続されている。また、Ｉ／Ｏインタフェイス４０には、文字その他を表示するディスプレイ２４を制御するビデオコントローラ２３と、入力装置であるキーボード２６を制御するキーコントローラ２５と、ＣＤ−ＲＯＭ２９を読み込むためのＣＤ−ＲＯＭドライブ２８と、ハードディスク装置３０とが接続されている。ハードディスク装置３０は、ＣＰＵ２０で実行されるプログラムを記憶したプログラム記憶エリア３１、ＲＦＩＤタグ１９のタグ情報を記憶したタグ情報データベース３２，コンテンツ情報データベース３６とが設けられている。なお、タグ情報データベース３２が本発明の無線タグ情報記憶手段に、コンテンツ情報データベース３６が本発明の物品関連情報記憶手段に相当する。
【００６３】
次に、図７乃至１１を参照して、物品関連情報提供システム１における各種情報のデータ構成について説明する。図７は、広告場所タグ９からＲＦＩＤタグリーダ６０を介して携帯電話機２へ送信される広告場所情報４００のデータ構成の概念図である。図８は、掲示場所タグ１０からＲＦＩＤタグリーダ６０を介して携帯電話機２へ送信される掲示場所情報のデータ構成の概念図である。図９は、展示場所タグ１１からＲＦＩＤタグリーダ６０を介して携帯電話機２へ送信される展示場所情報６００のデータ構成の概念図である。図１０は、物品関連情報提供サーバ６の、ハードディスク装置３０に記憶されている、タグ情報データベース３２のデータ構成の概念図である。図１１は、物品関連情報提供サーバ６の、ハードディスク装置３０に記憶されている、コンテンツ情報データベース３６のデータ構成の概念図である。
【００６４】
図７に示すように、広告場所タグ９に記憶されている広告場所情報４００は、広告場所情報４００の属性を示すヘッダー部４１０と、広告場所を識別するためのＩＤ部４２０とから構成されている。ヘッダー部４１０の「Ｘ０１」は、「Ｘ」で開始されていることから広告場所情報であることを示し、「０１」は吊り広告３の車両内での位置を示している。「Ｘ」は同じ吊り広告の広告枠（クリップ部）１３に設置される全ての吊り広告３を含んでいること、すなわち、広告枠１３のＩＤであることを示している。ＩＤ部４２０は、その広告場所タグ９が付与されている広告枠１３に固有の識別番号である。上記の「Ｘ」は広告場所情報を含むものであることを示し、一般的に使用される「数字」によるＩＤ等との識別を容易にするために付されたものである。
【００６５】
次に、図８に示すように、掲示場所タグ１０に記憶されている掲示場所情報５００の構成は、基本的には広告場所情報４００と同じである。掲示場所情報５００も、属性を示すヘッダー部５１０と、掲示場所を識別するためのＩＤ部５２０とから構成されている。ヘッダー部５１０の「Ｓ０１」は、「Ｓ」で開始されていることから掲示場所情報であることを示し、「０１」は複数のポスター４が掲示できる掲示枠１４の同じ駅構内での連番を示している。ＩＤ部５２０は、その掲示場所タグ１０が付与されている掲示枠１４に固有の識別番号である。
【００６６】
次に、図９に示すように、展示場所タグ１１に記憶されている展示場所情報６００の構成は、基本的には広告場所情報４００及び掲示場所情報５００と同じである。展示場所情報６００も、属性を示すヘッダー部６１０と、掲示場所を識別するためのＩＤ部６２０とから構成されている。ヘッダー部６１０の「Ｗ０１」は、「Ｗ」で開始されていることから展示場所情報であることを示し、「０１」はショーウィンドウ５の同じ店舗内での連番を示している。ＩＤ部６２０は、その展示場所タグ１１が付与されているショーウィンドウ５に固有の識別番号である。
【００６７】
次に、図１０に示すように、タグ情報データベース３２は、ＲＦＩＤ１９を特定するためのタグ情報レコードの集合として構成されており、各レコードを一意に識別するレコード番号３２１と、広告場所情報４００，掲示場所情報５００，展示場所情報６００の各ＩＤ部の情報である場所ＩＤ３２２と、設置場所情報３２３と、場所ＩＤに対応するコンテンツの番号であるコンテンツ番号３２４と、各コンテンツのタイトルであるタイトル３２５の各項目が登録されている。設置場所情報３２３は、詳細には、設置場所情報３２３１，設置場所情報３２３２，設置場所情報３２３３，設置場所情報３２３４に分けられ、設置場所情報３２３１には、広告場所情報４００の場合は路線名が、掲示場所情報５００の場合には駅名が、展示場所情報６００の場合には店舗名が登録される。また、設置場所情報３２３２には、広告場所情報４００の場合は列車番号が、掲示場所情報５００の場合には掲示枠の駅構内での場所が、展示場所情報６００の場合には店舗内でのショーウィンドウの場所が登録される。また、設置場所情報３２３３には、広告場所情報４００の場合は車両番号が、展示場所情報６００の場合にはショーウィンドウ内のマネキンや陳列物の種別が登録される。また、設置場所情報３２３４には、広告場所情報４００の場合に広告枠１３の番号が登録される。また、各レコードにおいて、１個の場所ＩＤについて複数のコンテンツを含む場合には、それに対応するだけの複数のコンテンツ番号とタイトルが登録されている。
【００６８】
次に、図１１に示すように、コンテンツ情報データベース３６は、タグ情報データベース３２に登録されているコンテンツ番号に対応するコンテンツの内容が登録されており、コンテンツの番号であるコンテンツ番号３６１，各コンテンツのタイトルであるタイトル３６２，コンテンツの閲覧モード３６３，各閲覧モードの詳細な項目である詳細情報項目３６４，実際のコンテンツ情報であるコンテンツ内容３６５，各コンテンツの料金情報である料金３６６の各項目が登録されている。
【００６９】
次に、図１２〜図２４を参照して、物品関連情報提供システム１の動作を説明する。まず、図１２〜図２０を用いて携帯電話機２の動作について説明する。図１２は、携帯電話機２における物品関連情報取得に関するメインルーチンのフローチャートである。図１３は、図１２のＳ１９で行なわれるタグ情報受信処理のサブルーチンのフローチャートである。図１４は、図１２のＳ２１で行なわれるモード設定処理のサブルーチンのフローチャートである。図１５は、図１２のＳ２３で行なわれるコンテンツ要求処理のサブルーチンのフローチャートである。図１６は、図１２のＳ２５で行なわれるコンテンツ取得処理のサブルーチンのフローチャートである。図１７は、図１６のＳ１１３で行なわれる決済処理のサブルーチンのフローチャートである。図１８は、図１６のＳ１１７で行なわれる実物購入処理のサブルーチンのフローチャートである。図１９は、図１６のＳ１２１で行なわれるダウンロード処理のサブルーチンのフローチャートである。図２０は、図１６のＳ１２３で行なわれる目次情報処理のサブルーチンのフローチャートである。図２１は、携帯電話機２のＬＣＤ５３に表示される場所ＩＤ表示画面の一例を示す図である。図２２は、携帯電話機２のＬＣＤ５３に表示されるタイトル表示画面の一例を示す図である。図２３は、携帯電話機２のＬＣＤ５３に表示される閲覧モード選択画面の一例を示す図である。
【００７０】
図１２に示すように、ユーザによって無線タグ情報の読み取り開始の操作がなされると、情報端末としての携帯電話機２において、まず、吊り広告３，ポスター４，ショーウィンドウ５の近傍にて、ＲＦＩＤタグ１９から情報を読み取るために、スキャン電波を送信する（Ｓ１）。そして、ＲＦＩＤタグ１９から応答があったか否かを判断する（Ｓ３）。応答がない場合には（Ｓ３：ＮＯ）、所定の時間を経過してタイムアウトになったか否かをさらに判断し（Ｓ５）、タイムアウトでなければ（Ｓ５：ＮＯ）、Ｓ３に戻って再び応答がないか否かを判断する。タイムアウトの場合には（Ｓ５：ＹＥＳ）、Ｓ１に戻って再度スキャン電波を送信する。
【００７１】
ＲＦＩＤタグ１９から応答があった場合には（Ｓ３：ＹＥＳ）、応答電波を受信する（Ｓ７）。そして、受信した応答電波から場所ＩＤ情報を分離し（Ｓ９）、ＲＡＭ１０３に一旦格納して（Ｓ１１）、図２１に示すように、ＬＣＤ５３に場所ＩＤを表示する（Ｓ１３）。場所ＩＤは、広告場所タグ９，掲示場所タグ１０，展示場所タグ１１の各ＲＦＩＤタグ１９から読み取られた広告場所情報４００，掲示場所情報５００，展示場所情報６００の内容である。携帯電話機２の近傍に複数のＲＦＩＤタグ１９が存在し、ＲＦＩＤタグリーダの読み取り範囲内である場合は、複数の場所ＩＤが表示される。場所ＩＤが表示されることにより、ユーザは関連情報を取得したい目的のＲＦＩＤタグ１９を選択することが可能になる。図２１の例では、列車内の吊り広告３付近でユーザが読み取りを行なっており、読み取りの結果、１５番の広告枠と１６番の広告枠の広告場所タグ９の広告場所情報４００が読み取られ、場所ＩＤとして「X1526458815」と「X1635226543」とが表示されている。
【００７２】
次に、表示された場所ＩＤがユーザによって選択されたか否かを判断する（Ｓ１５）。ユーザは、ＬＣＤ５３に複数個の場所情報が表示された場合、その表示内容から所望の無線タグ情報をキー操作によって選択し、決定ボタン５６を使って関連情報を得たいＲＦＩＤタグ１９の場所ＩＤを選択する。選択されていない場合には（Ｓ１５：ＮＯ）、さらに、キャンセルボタン５７が押下されたか否かを判断する（Ｓ１６）。キャンセルボタン５７が押下された場合には（Ｓ１６：ＹＥＳ）、Ｓ１に戻って再度スキャン電波を送信する。キャンセルボタン５７が押下されていなければ（Ｓ１６：ＮＯ）、Ｓ１３に戻って場所ＩＤの表示を継続する。場所ＩＤが選択されたら（Ｓ１５：ＹＥＳ）、物品関連情報提供サーバ６に接続する（Ｓ１７）。そして、物品関連情報提供サーバ６に対して場所ＩＤ情報を送信して詳細なタグ情報を受信するタグ情報受信処理を行なう（Ｓ１９）。
【００７３】
タグ情報受信処理が終了したら（Ｓ１９）、受信したタグ情報に基づいてコンテンツを閲覧するモードを設定するモード設定処理を行なう（Ｓ２１）。モード設定処理の詳細は、図１４を参照して説明する。
【００７４】
モード設定処理が終了したら（Ｓ２１）、次に、その設定モードを物品関連情報提供サーバ６に送信してそのモードに沿ったコンテンツの詳細情報項目を物品関連情報提供サーバ６から取得し、ユーザに選択させる詳細情報項目選択処理を行なう（Ｓ２３）。詳細情報項目選択処理については、図１５を参照して説明する。
【００７５】
詳細情報項目選択処理が終了したら（Ｓ２３）、選択された詳細情報項目に従って物品関連情報提供サーバ６からコンテンツを取得するコンテンツ取得処理（Ｓ２５）を実行し、その後、このＲＦＩＤタグ１９に関する処理を終了する。コンテンツ取得処理については、図１６〜図１８に基づいて説明する。
【００７６】
次に、情報端末としての携帯電話機２におけるタグ情報受信処理の詳細を図１３に基づいて説明する。まず、図１２のＳ１５で選択された場所ＩＤ情報を物品関連情報提供サーバ６に送信する（Ｓ４１）。これが、この場所ＩＤに対応するタグ情報のリクエストとなる。次に、物品関連情報提供サーバ６から応答があったか否かを判断する（Ｓ４３）。応答がない場合には（Ｓ４３：ＮＯ）、所定の時間を経過してタイムアウトになったか否かをさらに判断し（Ｓ４５）、タイムアウトでなければ（Ｓ４５：ＮＯ）、Ｓ４３に戻って再び応答がないか否かを判断する。タイムアウトの場合には（Ｓ４５：ＹＥＳ）、Ｓ４１に戻る。
【００７７】
物品関連情報提供サーバ６から応答があった場合には（Ｓ４３：ＹＥＳ）、物品関連情報提供サーバ６がタグ情報データベース３２から検索して送信してくるタグ情報を受信する（Ｓ４７）。そして、受信したタグ情報をＲＡＭ１０３に格納する（Ｓ４９）。ここで受信するタグ情報は、物品関連情報提供サーバ６のタグ情報データベース３２に記憶されているものであり、データの内容は図１０に示すように、場所ＩＤに対応する設置場所情報、コンテンツ番号、タイトルからなっている。以上でタグ情報受信処理が終了するので、図１２のメインルーチンに戻る。
【００７８】
次に、図１２のＳ２１で実行するモード設定処理について図１４を参照して説明する。図１４に示すように、まず、タグ情報受信処理において物品関連情報提供サーバ６から受信し、ＲＡＭ１０３に格納したタグ情報から対象ＲＦＩＤタグ１９のコンテンツのタイトルを取り出す（Ｓ６０）。そして、そのタイトルを図２２に示すように、ＬＣＤ５３に表示する（Ｓ６１）。図２２の例では、先に選択された「X1526458815」に対応するコンテンツタイトルである「週刊××」と「映画△△」とが表示されている。
【００７９】
次に、表示されたタイトルがユーザによって選択されたか否かを判断する（Ｓ６３）。選択されていない場合には（Ｓ６３：ＮＯ）、Ｓ６１に戻ってタイトルの表示を継続する。タイトルが選択されたら（Ｓ６３：ＹＥＳ）、選択されたタイトルとそのコンテンツ番号をＲＡＭ１０３に格納する（Ｓ６４）。そして、図２３に示すような閲覧モード選択画面をＬＣＤ５３に表示する（Ｓ６５）。
【００８０】
閲覧モード選択画面は、対象となるコンテンツのタイトルを示した上で、そのコンテンツをどのように閲覧したいかの閲覧モードをユーザが設定できるようになっている。ここで表示される閲覧モードは、本実施形態では「１．目次を見る」、「２．ダウンロード（有料）」、「３．実物を購入」の３種類が用意されている。どのタイトルを選択した場合にも閲覧モードが共通である場合には、携帯電話機２のＲＯＭ１０２に記憶されたプログラムに閲覧モードを記憶させておいても良いし、閲覧モードをタイトルによって変化させる場合には、タグ情報データベース３２のレコードに閲覧モード項目を設けて記憶させておき、タグ情報受信処理で受信するように構成してもよい。また、広告場所タグ９，掲示場所タグ１０，展示場所タグ１１の種別によって異なる閲覧モード項目を用意しておいても良い。
【００８１】
次に、表示された閲覧モードの１つがユーザによって選択されたか否かを判断する（Ｓ６７）。選択されていない場合には（Ｓ６７：ＮＯ）、Ｓ６５に戻って閲覧モード設定画面の表示を継続する。閲覧モードが選択されたら（Ｓ６７：ＹＥＳ）、その選択されたモード（設定モード）を物品関連情報提供サーバ６に送信するために、ＲＡＭ１０３に格納する（Ｓ６９）。そして、図１２のメインルーチンに戻る。
【００８２】
次に、図１２のＳ２３で実行する詳細情報項目選択処理について、図１５を参照して説明する。図１５に示すように、まず、ＲＡＭ１０３に格納したコンテンツ番号と設定モード、例えば、「００１，ダウンロード」、を物品関連情報提供サーバ６に送信する（Ｓ８１）。これがそのコンテンツ番号と設定モードに対応する詳細情報項目のリクエストとなる。次に、物品関連情報提供サーバ６から応答があったか否かを判断する（Ｓ８３）。応答がない場合には（Ｓ８３：ＮＯ）、所定の時間を経過してタイムアウトになったか否かをさらに判断し（Ｓ８５）、タイムアウトでなければ（Ｓ８５：ＮＯ）、Ｓ８３に戻って再び応答がないか否かを判断する。タイムアウトの場合には（Ｓ８５：ＹＥＳ）、Ｓ８１に戻る。
【００８３】
物品関連情報提供サーバ６から応答があった場合には（Ｓ８３：ＹＥＳ）、詳細情報項目を受信する（Ｓ８７）。そして、受信した詳細情報項目をＲＡＭ１０３に格納する（Ｓ８９）。ここで受信する詳細情報項目は、物品関連情報提供サーバ６のコンテンツ情報データベース３６に記憶されているものであり、送られてくるのは、図１１に示すような詳細情報項目３６４の内容である。先の例で、送信したコンテンツ番号と設定モードが「００１，ダウンロード」であれば、「２−１全体ダウンロード」「２−２全コンテンツ外部へ」が送信され、受信される。
【００８４】
次に、格納した詳細情報項目を、ＬＣＤ５３に表示する（Ｓ９１）。そして、表示された詳細情報項目の１つがユーザによって選択されたか否かを判断する（Ｓ９３）。選択されていない場合には（Ｓ９３：ＮＯ）、Ｓ９１に戻って詳細情報項目選択画面の表示を継続する。詳細情報項目が選択されたら（Ｓ９３：ＹＥＳ）、その選択された詳細情報項目を物品関連情報提供サーバ６に送信するために、ＲＡＭ１０３に格納する（Ｓ９５）。例えば、先の例の２つの詳細項目のうち、「２−２全コンテンツ外部へ」が選択され、格納されたとする。そして、図１２のメインルーチンに戻る。
【００８５】
次に、図１２のＳ２５で実行するコンテンツ取得処理について、図１６〜図１８を参照して説明する。まず、図１６に示すように、ＲＡＭ１０３に格納したコンテンツ番号と選択項目を物品関連情報提供サーバ６に送信する（Ｓ１１１）。例えば、先の例では、「００１，２−２全コンテンツ外部へ」が送信される。これがそのコンテンツ番号と選択項目に対応するコンテンツ情報のリクエストとなる。次に、物品関連情報提供サーバ６から応答があったか否かを判断する（Ｓ１１３）。応答がない場合には（Ｓ１１３：ＮＯ）、所定の時間を経過してタイムアウトになったか否かをさらに判断し（Ｓ１１５）、タイムアウトでなければ（Ｓ１１５：ＮＯ）、Ｓ１１３に戻って再び応答がないか否かを判断する。タイムアウトの場合には（Ｓ１１５：ＹＥＳ）、Ｓ１１１に戻る。
【００８６】
物品関連情報提供サーバ６から応答があった場合には（Ｓ１１３：ＹＥＳ）、コンテンツ情報を受信する（Ｓ１１７）。そして、受信したコンテンツ情報をＲＡＭ１０３に格納する（Ｓ１１９）。ここで受信するコンテンツ情報は、物品関連情報提供サーバ６のコンテンツ情報データベース３６に記憶されているものであり、送られてくるのは、図１１に示すような、コンテンツ番号と選択項目に対応するコンテンツ内容３６５及び料金３６６のデータである。先の例では、外部機器への送信指示情報とこれにかかる料金情報が送信されてくる。
【００８７】
次に、取得したコンテンツに対する代金の決済処理を行なう（Ｓ１２１）。ここでは、取得できるコンテンツに有料のものも想定しているので、料金の決済を行なう。携帯電話の場合、携帯電話のキャリアに月々通話料金やデータ通信料金を支払う形態となっていることが多いので、その料金に上乗せして支払を行なうのが簡便である。ここでも、課金が行なわれることと、その了承を求めることで決済処理としている。携帯電話機以外の情報端末を用いる場合には、決済処理においてクレジットカードを用いて決済したり、銀行口座からの引き落としを行なうようにしたりする構成が考えられる。
【００８８】
決済処理が終了すると（Ｓ１２１）、選択情報項目が雑誌などの媒体、ショーウィンドウ５に飾られた商品そのもの等の実物の購入か否かを判断する。実物の購入の場合には（Ｓ１２３：ＹＥＳ）、実物を購入して送付する手続を行なう（Ｓ１２５）。実物購入処理の詳細は、図１８を参照して説明する。
【００８９】
実物の購入でない場合には（Ｓ１２３：ＮＯ）、設定モードが「２．ダウンロード」であるか否かを判断する（Ｓ１２７）。ダウンロードの場合には（Ｓ１２７：ＹＥＳ）、ダウンロード処理を行なう（Ｓ１２９）。ダウンロード処理の詳細は、図１９に基づいて説明する。
【００９０】
ダウンロードでない場合には（Ｓ１２７：ＮＯ）、設定モードとして目次情報が選択されているので、そのコンテンツ内容を取得する目次情報処理を行なう（Ｓ１３１）。目次情報処理の詳細は、図２０を参照して説明する。
【００９１】
次に、図１６のＳ１２１で実行する決済処理の詳細について、図１７を参照して説明する。図１７に示すように、まず、コンテンツの取得にかかる料金情報を、ＲＡＭ１０３に格納されているコンテンツ情報から取り出す（Ｓ１４０）。そして、その料金を表示し、了承を確認させるための決済画面をＬＣＤ５３に表示する（Ｓ１４１）。次に、決済が了承されたか否かを判断する（Ｓ１４３）。了承されなかった場合には（Ｓ１４３：ＮＯ）、図１２のメインルーチンのＳ２１に戻り、モード設定処理からやり直す。了承された場合には（Ｓ１４３：ＹＥＳ）、物品関連情報提供サーバ６に決済了承情報を送信する（Ｓ１４５）。そして、物品関連情報提供サーバ６から応答があったか否かを判断し（Ｓ１４７）、応答がない場合には（Ｓ１４７：ＮＯ）、再度決済情報を送信する（Ｓ１４５）。応答があった場合には（Ｓ１４７：ＹＥＳ）、決済が完了した旨の画面をＬＣＤ５３に表示する（Ｓ１５１）。そして、図１６のコンテンツ取得処理のルーチンに戻る。
【００９２】
次に、図１６のＳ１２５で実行する実物購入処理について、図１８を参照して説明する。図１８に示すように、まず、商品名と送付先住所を表示した購入画面をＬＣＤ５３に表示する（Ｓ１７１）。そして、登録住所に送付するか否かを判断する（Ｓ１７３）。送付先住所は、あらかじめ携帯電話キャリアに登録してある自宅住所を既定値として表示するが、変更することもできる。そこで、登録住所に送付するか否かをユーザに選択させるものである。登録住所に送付する場合には（Ｓ１７３：ＹＥＳ）、そのままＳ１７７に進んで、物品関連情報提供サーバ６に登録先住所に商品を送付するように要求する。登録住所に送付しない場合には（Ｓ１７３：ＮＯ）、送付先住所入力画面をＬＣＤ５３に表示し（Ｓ１７５）、送付先をユーザに入力させる。そして、その送付先住所を物品関連情報提供サーバ６に送信して商品の送付を要求する（Ｓ１７７）。そして、物品関連情報提供サーバ６から応答があったか否かを判断し（Ｓ１７９）、応答がない場合には（Ｓ１７９：ＮＯ）、所定の時間を経過してタイムアウトになったか否かをさらに判断し（Ｓ１８１）、タイムアウトでなければ（Ｓ１８１：ＮＯ）、Ｓ１７９に戻って再び応答がないか否かを判断する。タイムアウトの場合には（Ｓ１８１：ＹＥＳ）、Ｓ１７７に戻って再び商品の送付を要求する。物品関連情報提供サーバ６から応答があった場合には（Ｓ１７９：ＹＥＳ）、購入完了画面をＬＣＤ５３に表示し（Ｓ１８３）、図１６のコンテンツ取得処理のルーチンに戻り、さらに、図１２のメインルーチンに戻って全ての処理を終了する。
【００９３】
次に、図１６のＳ１２９で実行するダウンロード処理について、図１９に基づいて説明する。まず、図１９に示すように、すでに図１６のＳ１１７で受信したコンテンツ情報にダウンロード情報が含まれており、ダウンロードが完了しているか否かを判断する（Ｓ２０１）。選択された詳細情報項目が「２−１ダウンロード」の場合には、既にコンテンツ情報データベース３６からコンテンツ内容がコンテンツ情報として送信されてきている。ダウンロード済の場合には（Ｓ２０１：ＹＥＳ）、ダウンロードが完了した旨の画面をＬＣＤ５３に表示する（Ｓ２０３）。次に、ダウンロードしたコンテンツをＬＣＤ５３上で閲覧する処理を行なう（Ｓ２０５）。そして、図１６のコンテンツ取得処理のルーチンに戻り、さらに、図１２のメインルーチンに戻って全ての処理を終了する。
【００９４】
ダウンロード済でない場合（Ｓ２０１：ＮＯ）、携帯電話機５に直接ダウンロードではなく、外部機器に物品関連情報提供サーバ６から送信されることになる。そこで、送信先をメールアドレス又はＦＡＸ番号のいずれかをユーザに選択させる送信先選択画面をＬＣＤ５３に表示する（Ｓ２０６）。指定されたメールアドレスに送信する場合には（Ｓ２０７：ＹＥＳ）、メールアドレスを入力させる入力画面を表示して（Ｓ２０９）、入力を受け付け、入力されたアドレスを物品関連情報提供サーバ６に送信して、そのアドレスにコンテンツ内容を送信するように要求する（Ｓ２１１）。そして、物品関連情報提供サーバ６から応答があったか否かを判断し（Ｓ２１３）、応答がなければ（Ｓ２１３：ＮＯ）、再度送信要求を行なう（Ｓ２１１）。応答があれば（Ｓ２１３：ＹＥＳ）、処理完了画面をＬＣＤ５３に表示する（Ｓ２１５）。そして、図１６のコンテンツ取得処理のルーチンに戻り、さらに、図１２のメインルーチンに戻って全ての処理を終了する。
【００９５】
メールアドレスに送信しない場合は（Ｓ２０７：ＮＯ）、ＦＡＸ番号に送信する場合であるから、ＦＡＸ番号を入力させる画面を表示する（Ｓ２１７）。そして、入力されたＦＡＸ番号を受け付け、その番号にコンテンツ内容を送信するように要求する（Ｓ２１９）。そして、物品関連情報提供サーバ６から応答があったか否かを判断し（Ｓ２２１）、応答がなければ（Ｓ２２１：ＮＯ）、再度送信要求を行なう（Ｓ２１９）。応答があれば（Ｓ２２１：ＹＥＳ）、処理完了画面をＬＣＤ５３に表示する（Ｓ２１５）。そして、図１６のコンテンツ取得処理のルーチンに戻り、さらに、図１２のメインルーチンに戻って全ての処理を終了する。
【００９６】
次に、図１６のＳ１３１で実行する目次情報処理について、図２０を参照して説明する。図２０に示すように、まず、選択された詳細情報項目が要約の閲覧か否かを判断する（Ｓ２４１）。要約の閲覧の場合は（Ｓ２４１：ＹＥＳ）、既にコンテンツ情報として要約の内容データが受信されているので、それをＬＣＤ５３に表示する（Ｓ２４３）。そして、図１６のコンテンツ取得処理のルーチンに戻り、さらに、図１２のメインルーチンに戻って全ての処理を終了する。
【００９７】
要約の閲覧でない場合は（Ｓ２４１：ＮＯ）、一部のコンテンツのダウンロードになるので、図１９のダウンロード処理のサブルーチンに従って、既にダウンロード済の一部コンテンツを閲覧させたり、指定されたメールアドレスやＦＡＸ番号に一部コンテンツを送信したりする処理を行なう（Ｓ２４５）。そして、図１６のコンテンツ取得処理のルーチンに戻り、さらに、図１２のメインルーチンに戻って全ての処理を終了する。
【００９８】
次に、図２４〜図２７を参照して、物品関連情報提供サーバ６の動作について説明する。図２４は、物品関連情報提供サーバ６の物品関連情報提供処理のメインルーチンのフローチャートである。図２５は、図２４のＳ３０９で行なうタグ情報検索処理のサブルーチンのフローチャートである。図２６は、図２４のＳ３１７で行なう詳細情報項目検索処理のサブルーチンのフローチャートである。図２７は、図２４のＳ３２５で行なうコンテンツ情報検索処理のサブルーチンのフローチャートである。
【００９９】
図２４に示すように、まず、携帯電話機２から接続要求があったか否かを判断する（Ｓ３０１）。接続要求がない場合は（Ｓ３０１：ＮＯ）、接続要求があるまでＳ３０１の判断を繰り返して待機する。接続要求があった場合には（Ｓ３０１：ＹＥＳ）、回線接続処理を行なう（Ｓ３０３）。そして、携帯電話機２から送信されてきた情報が、タグ情報のリクエストか否かを判断する（Ｓ３０５）。タグ情報のリクエストの場合は（Ｓ３０５：ＹＥＳ）、タグ情報のリクエストの対象となるＲＦＩＤタグの場所ＩＤ情報が送信されてきているので、これを受信する（Ｓ３０７）。次に、その場所ＩＤに対応するタグ情報をタグ情報データベース３２から検索して取り出すタグ情報検索処理を行なう（Ｓ３０９）。
【０１００】
タグ情報検索処理（Ｓ３０９）により、携帯電話機２に送信すべきタグ情報が取り出されたので、携帯電話機２にこの取り出されたタグ情報を送信する（Ｓ３１１）。そして、Ｓ３０５に戻る。
【０１０１】
一方、携帯電話機２から送信されてきた情報が、タグ情報のリクエストではない場合には（Ｓ３０５：ＮＯ）、設定された閲覧モードの通知であるか否かを判断する（Ｓ３１３）。設定モードの通知である場合には（Ｓ３１３：ＹＥＳ）、携帯電話機２から閲覧対象となるコンテンツの番号を示す情報（コンテンツ番号情報）と設定された閲覧モードを示す情報（設定モード情報）が送信されてきているので、これを受信する（Ｓ３１５）。例えば、受信したコンテンツ番号情報が００１で、設定モード情報が「２．ダウンロード」であるとする。次に、このコンテンツ番号と閲覧モードに対応するコンテンツの詳細情報項目をコンテンツ情報データベース３６から検索して取り出す詳細項目検索処理を行なう（Ｓ３１７）。
【０１０２】
詳細情報項目検索処理（Ｓ３１７）により、携帯電話機２に送信すべき詳細情報項目が取り出されたので、携帯電話機２にこの取り出された詳細情報項目を送信する（Ｓ３１９）。そして、Ｓ３０５に戻る。
【０１０３】
一方、携帯電話機２から送信されてきた情報が、設定モードの通知ではない場合には（Ｓ３１３：ＮＯ）、コンテンツ情報のリクエストか否かを判断する（Ｓ３２１）。コンテンツ情報のリクエストの場合には（Ｓ３２１：ＹＥＳ)、携帯電話機２からリクエスト対象のコンテンツ番号情報と選択された詳細情報項目（選択項目情報）が送信されてきているので、これを受信する（Ｓ３２３）。例えば、受信したコンテンツ番号情報が００１で、選択項目情報が「２−２全コンテンツ外部へ」であるとする。次に、このコンテンツ番号と選択項目情報に対応するコンテンツのコンテンツ情報をコンテンツ情報データベース３６から検索して取り出すコンテンツ情報検索処理を行なう（Ｓ３２５）。
【０１０４】
コンテンツ情報検索処理（Ｓ３２５）により、携帯電話機２に送信すべきコンテンツ内容の情報が取り出されたので、携帯電話機２にこの取り出されたコンテンツ情報を送信する（Ｓ３２７）。そして、Ｓ３０５に戻る。
【０１０５】
一方、携帯電話機２から送信されてきた情報が、コンテンツ情報のリクエストでない場合には（Ｓ３２１：ＮＯ）、決済処理のリクエストか否かを判断する（Ｓ３２９）。決済処理のリクエストである場合には（Ｓ３２９：ＹＥＳ）、携帯電話機２から決済するべき料金やユーザの了承の情報（決済情報）が送信されてきているので、これを受信する（Ｓ３３１）。そして、受信した決済情報に基づいて、携帯電話キャリアに課金情報を送信する等の決済処理を行なう（Ｓ３３５）。そして、決済処理が終了したら、決済完了情報を携帯電話機２に対して送信する（Ｓ３３７）。そして、Ｓ３０５に戻る。
【０１０６】
携帯電話機２から送信されてきた情報が、決済処理のリクエストでない場合には（Ｓ３２９：ＮＯ）、コンテンツ情報や商品の実物を外部へ送付・送信するリクエストか否かを判断する（Ｓ３３９）。このような外部への送信・送付リクエストの場合は（Ｓ３３９：ＹＥＳ）、携帯電話機２から送信先・送付先情報が送信されてきているので、これを受信する（Ｓ３４１）。そして、受信した情報に基づいて、コンテンツ情報を送信したり、商品を指定住所に送付したりする手続を行なう（Ｓ３４３）。そして、これらの送信・送付処理が終了したら、送信・送付完了情報を携帯電話機２に送信する（Ｓ３４５）。そして、Ｓ３０５に戻る。
【０１０７】
携帯電話機２から送信されてきた情報が、外部への送付・送信リクエストでない場合には（Ｓ３３９：ＮＯ）、その他の処理を実行し（Ｓ３４７）、回線切断処理を行なう（Ｓ３４９）。そして、Ｓ３０１に戻る。
【０１０８】
次に、図２４のＳ３０９で実行するタグ情報検索処理の詳細について、図２５を参照して説明する。まず、タグ情報データベース３２をオープンする（Ｓ４０１）。以下では、最初のレコードから順に１レコードずつ処理を行なう。まず、タグ情報の１レコード分を読み出す（Ｓ４０３）。次に、携帯電話機２から受信した（図２４，Ｓ３０７）場所ＩＤ情報が、Ｓ４０３で読み出したレコードの場所ＩＤと一致しているか否かを判断する（Ｓ４０９）。一致していない場合には（Ｓ４０９：ＮＯ）、Ｓ４０３に戻って次のレコードの読み出しを行なう。
【０１０９】
場所ＩＤ情報が、Ｓ４０３で読み出したレコードの場所ＩＤと一致した場合には（Ｓ４０９：ＹＥＳ）、そのレコードのタグ情報がリクエストされているＲＦＩＤタグ１９に対応するのものであるから、そのタグ情報レコードの内容を送信するためにＲＡＭ２２に格納する（Ｓ４１１）。そして、タグ情報データベース３２をクローズし（Ｓ４１３）、図２４のサーバのメインルーチンに戻る。
【０１１０】
次に、図２４のＳ３１７で実行する詳細項目検索処理の詳細について、図２６を参照して説明する。まず、コンテンツ情報データベース３６をオープンする（Ｓ４３１）。以下では、最初のレコードから順に１レコードずつ処理を行なう。まず、コンテンツ情報の１レコード分を読み出す（Ｓ４３３）。例えば、図１１のコンテンツ情報データベース３６の例では、Ｓ４３３で１行目のレコードの「コンテンツ番号：００１」、「タイトル：週刊○○」、「閲覧モード：１．目次情報」、「詳細情報項目：１−１要約（無料）」「コンテンツ内容：コンテンツ要約情報」、「料金：０円」が読み出される。
【０１１１】
次に、コンテンツ情報レコードが終わりか、すなわち、Ｓ４３３で読み出しが行えなかったか否かを判断する（Ｓ４３５）。コンテンツ情報レコードが終わりの場合には(Ｓ４３５：ＹＥＳ)、コンテンツ情報データベース３６をクローズする（Ｓ４３７）。そして、図２４のサーバのメインルーチンに戻る。
【０１１２】
コンテンツ情報レコードが終わりでない場合には(Ｓ４３５：ＮＯ)、図２４のＳ３１５で受信したコンテンツ番号情報が、Ｓ４３３で読み出したレコードのコンテンツ番号と一致しているか否かを判断する（Ｓ４３９）。一致していない場合には（Ｓ４３９：ＮＯ）、Ｓ４３３に戻って次のレコードの読み出しを行なう。
【０１１３】
コンテンツ番号情報が、Ｓ４３３で読み出したレコードのコンテンツ番号と一致している場合には（Ｓ４３９：ＹＥＳ）、そのレコードのコンテンツが閲覧の対象となるものであるから、次に、処理中のレコードからモード項目を取り出す（Ｓ４４１）。例えば、先の例では、受信したコンテンツ番号情報が００１であるから、一行目のレコードのコンテンツ番号と一致している。そこで、１行目のレコードのモード項目である「１．目次情報」を取り出す。
【０１１４】
次に、ここで取り出したモード項目が、図２４のＳ３１５で受信した設定モード情報と一致しているか否かを判断する（Ｓ４４５）。一致していない場合には（Ｓ４４５：ＮＯ）、Ｓ４３３に戻って次のレコードの読み出しを行なう。先の例では、受信した設定モード情報が「２．ダウンロード」であるから、いま読み出したモード項目「１．目次情報」とは一致しないので、Ｓ４３３に戻り、２行目のレコードを読み出す。
【０１１５】
この例では、２巡目、３巡目の処理でも、取り出されるモード項目は「１．目次情報」であるから、Ｓ４４５でＮＯとなり、４巡目の処理で４行目のレコードを読み出すと、モード項目が「２．ダウンロード」であるから、受信した設定モード情報と一致する（Ｓ４４５：ＹＥＳ）。そこで、そのレコードの詳細情報項目の内容である「２−１全体ダウンロード」を送信すべき情報としてＲＡＭ２２に格納する（Ｓ４４７）。そして、Ｓ４３３に戻り、次のレコードの処理を行なう。
【０１１６】
次の巡目の処理では、コンテンツ番号情報は読み出したレコードのコンテンツ番号となお一致しており（Ｓ４３９：ＹＥＳ）、取り出したモード項目も「２．ダウンロード」で一致しているので（Ｓ４４５：ＹＥＳ）、そのレコードの詳細情報項目の内容である「２−２全コンテンツ外部へ」を送信すべき情報としてＲＡＭ２２に格納する（Ｓ４４７）。そして、Ｓ４３３に戻り、次のレコードの処理を行なう。ここまでの処理により、送信すべき詳細情報項目として、「２−１全体ダウンロード  ２−２全コンテンツ外部へ」がＲＡＭ２２に格納されたことになる。
【０１１７】
次の巡目の処理では、コンテンツ番号情報は読み出したレコードのコンテンツ番号と一致しているが（Ｓ４３９：ＹＥＳ）、Ｓ４４１で取り出したモード項目が「３．実物購入」であり、設定モード情報と一致しないので（Ｓ４４５：ＮＯ）、Ｓ４３３に戻る。
【０１１８】
以上のようにして、コンテンツ情報データベース３６の全てのレコードを順に処理し、レコードが終わったら（Ｓ４３５：ＹＥＳ）、コンテンツ情報データベース３６をクローズして（Ｓ４３７）、図２４のサーバのメインルーチンに戻る。
【０１１９】
次に、図２４のＳ３２５で実行するコンテンツ情報検索処理の詳細について、図２７を参照して説明する。まず、コンテンツ情報データベース３６をオープンする（Ｓ４６１）。以下では、最初のレコードから順に１レコードずつ処理を行なう。まず、コンテンツ情報の１レコード分を読み出す（Ｓ４６３）。
【０１２０】
図１１のコンテンツ情報データベース３６の例では、Ｓ４６３で１行目のレコードの「コンテンツ番号：００１」、「タイトル：週刊○○」、「閲覧モード：１．目次情報」、「詳細情報項目：１−１要約（無料）」「コンテンツ内容：コンテンツ要約情報」、「料金：０円」が読み出される。
【０１２１】
次に、コンテンツ情報レコードが終わりか、すなわち、Ｓ４６３で読み出しが行えなかったか否かを判断する（Ｓ４６５）。コンテンツ情報レコードが終わりの場合には(Ｓ４６５：ＹＥＳ)、コンテンツ情報データベース３６をクローズする（Ｓ４６７）。そして、図２４のサーバのメインルーチンに戻る。
【０１２２】
コンテンツ情報レコードが終わりでない場合には(Ｓ４６５：ＮＯ)、図２４のＳ３２３で受信したコンテンツ番号情報が、Ｓ４６３で読み出したレコードのコンテンツ番号と一致しているか否かを判断する（Ｓ４６９）。一致していない場合には（Ｓ４６９：ＮＯ）、Ｓ４６３に戻って次のレコードの読み出しを行なう。
【０１２３】
コンテンツ番号情報が、Ｓ４６３で読み出したレコードのコンテンツ番号と一致している場合には（Ｓ４６９：ＹＥＳ）、そのレコードのコンテンツが閲覧の対象となるものであるから、次に、処理中のレコードから詳細情報項目を取り出す（Ｓ４７１）。例えば、先の例では、受信したコンテンツ番号情報が００１であるから、一行目のレコードのコンテンツ番号と一致している。そこで、１行目のレコードの詳細情報項目である「１−１要約（無料）」を取り出す。
【０１２４】
次に、ここで取り出した詳細情報項目が、図２４のＳ３２３で受信した選択項目情報と一致しているか否かを判断する（Ｓ４７５）。一致していない場合には（Ｓ４７５：ＮＯ）、Ｓ４６３に戻って次のレコードの読み出しを行なう。先の例では、受信した選択項目情報が「２−２全コンテンツ外部へ」であるから、いま読み出したモード項目「１−１要約（無料）」とは一致しないので、Ｓ４６３に戻り、２行目のレコードを読み出す。
【０１２５】
この例では、２巡目の処理で取り出される詳細情報項目は「１−２一部コンテンツダウンロード」であり、３巡目の処理で取り出される詳細情報項目は「１−３一部コンテンツ外部へ」であり、４巡目の処理で取り出される詳細情報項目は「２−１全体ダウンロード」であり、どれも選択項目情報である「２−２全コンテンツ外部へ」とは一致しない（Ｓ４７５：ＮＯ）。そこで、Ｓ４６３に戻って、５行目のレコードを読み出す。
【０１２６】
次の巡目の処理では、コンテンツ番号情報は読み出したレコードのコンテンツ番号となお一致しており（Ｓ４６９：ＹＥＳ）、取り出した詳細情報項目も「２−２全コンテンツ外部へ」で一致しているので（Ｓ４７５：ＹＥＳ）、そのレコードのコンテンツの内容である「送付・送信指示情報」を送信すべき情報としてＲＡＭ２２に格納する（Ｓ４７７）。そして、Ｓ４６３に戻り、次のレコードの処理を行なう。
【０１２７】
次の巡目の処理では、コンテンツ番号情報は読み出したレコードのコンテンツ番号と一致しているが（Ｓ４６９：ＹＥＳ）、Ｓ４７１で取り出した詳細情報項目が「３−１雑誌を購入」であり、選択項目情報と一致しないので（Ｓ４７５：ＮＯ）、Ｓ４６３に戻る。
【０１２８】
以上のようにして、コンテンツ情報データベース３６の全てのレコードを順に処理し、レコードが終わったら（Ｓ４６５：ＹＥＳ）、コンテンツ情報データベース３６をクローズして（Ｓ４６７）、図２４のサーバのメインルーチンに戻る。
【０１２９】
以上説明したように、本実施の形態の物品関連情報提供システムによれば、吊り広告やポスター、ショーウィンドウ等並びにその近傍に付されたＲＦＩＤタグを携帯電話機２から読み取り、これに対応する情報を記憶した物品関連情報提供サーバに要求し、必要な情報を取り出してその場で閲覧したり、商品を購入したりする消費行動が可能である。ＲＦＩＤタグには場所を示すＩＤ情報のみを記憶させておくだけで、幅広い関連情報を物品関連情報提供サーバのデータベースに記憶させ、ユーザの希望する情報を選択して提供することができる。
【０１３０】
尚、本発明は、上記実施形態に限らず、種々の変更が可能である。例えば、上記の実施形態においては、図１９のフローチャートのＳ２０１においてダウンロードが完了した場合に、同図のＳ２０５の閲覧処理によって情報端末の表示装置としてのＬＣＤ５３上に表示させるようにしたが、例えば、カード状のメモリ等の取り外し可能な外部メモリにダウンロードしたデータを記憶させ、ＰＣのような大画面の表示装置を有する端末にて閲覧するようにしてもよい。
【０１３１】
また、ＲＦＩＤタグは、広告枠やポスター枠に１つでなく、各広告やポスターに１つずつ取り付けても良い。このような場合の構成について、図２８〜図３３を参照して説明する。図２８は、個々の物品にＲＦＩＤタグを付した場合の物品関連情報提供システム１のシステム構成図である。図２９は、広告タグ９１のデータ構成図である。図３０は、ポスタータグ９２のデータ構成図である。図３１は、ディスプレイタグ９３のデータ構成図である。図３２は、タグ情報データベース３２のデータ構成図である。図３３は、携帯電話機２のＬＣＤ５３に表示されるタグＩＤ表示画面の一例を示す図である。
【０１３２】
図２８に示すように、本変形例の物品関連情報提供システム１では、各吊り広告３に取り付けられたＲＦＩＤタグである広告タグ９１，各ポスターに取り付けられているＲＦＩＤタグであるポスタータグ９２，ショーウィンドウ５内の各陳列商品に付けられたＲＦＩＤタグであるディスプレイタグ９３を携帯電話機２のＲＦＩＤタグリーダ６０が読み取る構成となっている。
【０１３３】
図２９に示すように、広告タグ９１に記憶されている広告情報７００は、２つのフォーマットが考えられる。まず、広告情報７０１の場合は、広告情報７００の属性を示すヘッダー部７１０と、広告タグ９１が付された吊り広告３を識別するためのＩＤ部７２０とから構成されている。ヘッダー部７１０の「Ａ０１」は、「Ａ」で開始されていることから広告情報であることを示し、「０１」は吊り広告３の車両内での位置を示している。また、同じ広告枠１３に設置される吊り広告３が表裏で４枚あるときのそれぞれを「Ａ」「Ｂ」「Ｃ」「Ｄ」としている。ＩＤ部７２０は、その広告タグ９に固有の識別番号である。また、広告情報７０２の場合は、ヘッダー部７１０及びＩＤ部７２０に加え、広告の内容を示すタイトル７３０とから構成されている。広告情報７０２のデータ構成を有する広告タグ９１の場合は、ＲＦＩＤタグリーダ６０で読み取りを実行すると、ＩＤを表示することなくタイトルを直接表示してユーザに選択させることができる。
【０１３４】
図３０に示すように、ポスタータグ９２に記憶されているポスター情報８００の構成は、基本的には広告情報７００と同様である。ポスター情報８００も、２つのフォーマットが考えられる。まず、ポスター情報８０１の場合は、ポスター情報８００の属性を示すヘッダ部８１０と、ポスタータグ９２が付されたポスター４を識別するためのＩＤ部８２０とから構成されている。ヘッダー部８１０の「Ｓ０１」は、「Ｓ」で開始されていることからポスター情報であることを示し、「０１」はポスター４の同じ駅構内等の特定場所内での連番を示している。ＩＤ部８２０は、そのポスタータグ９２に固有の識別番号である。ポスター情報８０２の場合は、ヘッダー部８１０及びＩＤ部８２０に加え、ポスターの内容を示すタイトル８３０とから構成されている。ポスター情報８０２のデータ構成を有するポスタータグ９２の場合は、ＲＦＩＤタグリーダ６０で読み取りを実行すると、ＩＤを表示することなくタイトルを直接表示してユーザに選択させることができる。
【０１３５】
図３１に示すように、ディスプレイタグ９３に記憶されているディスプレイ情報９００の構成は、基本的には広告情報７００やポスター情報８００と同様である。ディスプレイ情報９００も、２つのフォーマットが考えられる。まず、ディスプレイ情報９０１の場合は、ディスプレイ情報９００の属性を示すヘッダ部９１０と、ディスプレイタグ９３が付された陳列商品を識別するためのＩＤ部９２０とから構成されている。ヘッダー部９１０の「Ｗ０１」は、「Ｗ」で開始されていることからディスプレイ情報であることを示し、「０１」は同じショーウィンドウ５内での連番を示している。ＩＤ部９２０は、そのディスプレイタグ９３に固有の識別番号である。ディスプレイ情報９０２の場合は、ヘッダー部９１０及びＩＤ部９２０に加え、商品の内容を示すタイトル９３０とから構成されている。ディスプレイ情報９０２のデータ構成を有するディスプレイタグ９３の場合は、ＲＦＩＤタグリーダ６０で読み取りを実行すると、ＩＤを表示することなくタイトルを直接表示してユーザに選択させることができる。
【０１３６】
次に、図３２に示すように、本変形例のタグ情報データベース３２は、ＲＦＩＤタグ１９を特定するためのタグ情報レコードの集合として構成されており、各レコードを一意に識別するレコード番号３２１，広告情報７００，ポスター情報８００，ディスプレイ情報９００の各ＩＤ部の情報であるタグＩＤ３２２，設置場所情報３２３，タグＩＤに対応するコンテンツの番号であるコンテンツ番号３２４，各コンテンツのタイトルであるタイトル３２５の各項目が登録されている。設置場所情報３２３は、詳細には、設置場所情報３２３１，設置場所情報３２３２，設置場所情報３２３３，設置場所情報３２３４に分けられ、設置場所情報３２３１には、広告場所情報４００の場合は路線名が、掲示場所情報５００の場合には駅名が、展示場所情報６００の場合には店舗名が登録される。また、設置場所情報３２３２には、広告場所情報４００の場合は列車番号が、掲示場所情報５００の場合には掲示枠の駅構内での場所が、展示場所情報６００の場合には店舗内でのショーウィンドウの場所が登録される。また、設置場所情報３２３３には、広告場所情報４００の場合は車両番号が、展示場所情報６００の場合にはショーウィンドウ内のマネキンや陳列物の種別が登録される。また、設置場所情報３２３４には、広告場所情報４００の場合に広告枠１３の番号が登録される。また、本変形例の場合、各ＲＦＩＤタグは、物品の個々に対して取り付けられているので、対応するコンテンツは必ず１つとなっており、各レコードには１のコンテンツ番号とタイトルが登録されている。
【０１３７】
次に、本変形例の端末装置の動作について、図１２を参照して、前述の実施形態と異なる部分のみ説明すると、携帯電話機２において、まず、吊り広告３，ポスター４，ショーウィンドウ５の近傍にて、ＲＦＩＤタグ１９から情報を読み取るために、スキャン電波を送信する（Ｓ１）。ＲＦＩＤタグ１９から応答があった場合には（Ｓ３：ＹＥＳ）、応答電波を受信する（Ｓ７）。ここで、本変形例では、場所ＩＤの替わりに各タグを識別するタグＩＤが含まれる応答電波が受信される。従って、本変形例の場合は、以後のフローチャートでも、場所ＩＤに代えてタグＩＤと読み替えるとよい。受信した応答電波からタグＩＤ情報を分離し（Ｓ９）、ＲＡＭ１０３に一旦格納して（Ｓ１１）、図３３に示すように、ＬＣＤ５３に場所ＩＤを表示する（Ｓ１３）。
【０１３８】
タグＩＤは、広告タグ９１，ポスタータグ９２，ディスプレイタグ９３の各ＲＦＩＤタグ１９から読み取られた広告情報７００，ポスター情報８００，ディスプレイ情報９００の内容である。携帯電話機２の近傍に複数のＲＦＩＤタグ１９が存在し、ＲＦＩＤタグリーダの読み取り範囲内である場合は、複数のタグＩＤが表示される。例えば、図３３の例では、列車内の吊り広告３付近でユーザが読み取りを行なっており、読み取りの結果、１５番の広告枠１３につり下げられた４枚の広告についている広告タグ９１の広告情報７００が読み取られ、タグＩＤとして「A1526458815」、「B1535226543」、「C 1546798321」、「D1555679088」が表示されている。図３３の例は、タイトルを含まない広告情報７０１のフォーマットのデータ構成の場合を示している。
【０１３９】
タイトルを含む広告情報７０２の場合には、応答電波を受信して（Ｓ７）タグ情報を分離すると（Ｓ９）、タイトル情報も得られるので、タグＩＤの表示に代えて、図２２のようにタイトルを表示してユーザの選択を促すようにすることができる。タグＩＤを表示するよりもユーザには選択の手がかりが増えるので、わかりやすい。
【０１４０】
その他の処理は、前述の実施形態と同様に行なうことができる。
【図面の簡単な説明】
【０１４１】
【図１】第１の実施の形態の物品関連情報提供システム１の全体概念図である。
【図２】物品関連情報提供システム１を構成する携帯電話機２及びＲＦＩＤタグ１９の外観図である。
【図３】携帯電話機２の電気的構成を示すブロック図である。
【図４】ＲＦＩＤタグリーダ６０の電気的構成を示すブロック図である。
【図５】ＲＦＩＤタグ１９の電気的構成を示すブロック図である。
【図６】物品関連情報提供サーバ６の電気的構成を示すブロック図である。
【図７】広告場所タグ９からＲＦＩＤタグリーダ６０を介して携帯電話機２へ送信される広告場所情報４００のデータ構成の概念図である。
【図８】掲示場所タグ１０からＲＦＩＤタグリーダ６０を介して携帯電話機２へ送信される掲示場所情報のデータ構成の概念図である。
【図９】展示場所タグ１１からＲＦＩＤタグリーダ６０を介して携帯電話機２へ送信される展示場所情報６００のデータ構成の概念図である。
【図１０】物品関連情報提供サーバ６の、ハードディスク装置３０に記憶されている、タグ情報データベース３２のデータ構成の概念図である。
【図１１】物品関連情報提供サーバ６の、ハードディスク装置３０に記憶されている、コンテンツ情報データベース３６のデータ構成の概念図である。
【図１２】携帯電話機２における物品関連情報取得に関するメインルーチンのフローチャートである。
【図１３】図１２のＳ１９で行なわれるタグ情報受信処理のサブルーチンのフローチャートである。
【図１４】図１２のＳ２１で行なわれるモード設定処理のサブルーチンのフローチャートである。
【図１５】図１２のＳ２３で行なわれるコンテンツ要求処理のサブルーチンのフローチャートである。
【図１６】図１２のＳ２５で行なわれるコンテンツ取得処理のサブルーチンのフローチャートである。
【図１７】図１６のＳ１１３で行なわれる決済処理のサブルーチンのフローチャートである。
【図１８】図１６のＳ１１７で行なわれる実物購入処理のサブルーチンのフローチャートである。
【図１９】図１６のＳ１２１で行なわれるダウンロード処理のサブルーチンのフローチャートである。
【図２０】図１６のＳ１２３で行なわれる目次情報処理のサブルーチンのフローチャートである。
【図２１】携帯電話機２のＬＣＤ５３に表示される場所ＩＤ表示画面の一例を示す図である。
【図２２】携帯電話機２のＬＣＤ５３に表示されるタイトル表示画面の一例を示す図である。
【図２３】携帯電話機２のＬＣＤ５３に表示される閲覧モード選択画面の一例を示す図である。
【図２４】物品関連情報提供サーバ６の物品関連情報提供処理のメインルーチンのフローチャートである。
【図２５】図２４のＳ３０９で行なうタグ情報検索処理のサブルーチンのフローチャートである。
【図２６】図２４のＳ３１７で行なう詳細情報項目検索処理のサブルーチンのフローチャートである。
【図２７】図２４のＳ３２５で行なうコンテンツ情報検索処理のサブルーチンのフローチャートである。
【図２８】個々の物品にＲＦＩＤタグを付した場合の物品関連情報提供システム１のシステム構成図である。
【図２９】広告タグ９１のデータ構成図である。
【図３０】ポスタータグ９２のデータ構成図である。
【図３１】ディスプレイタグ９３のデータ構成図である。
【図３２】タグ情報データベース３２のデータ構成図である。
【図３３】携帯電話機２のＬＣＤ５３に表示されるタグＩＤ表示画面の一例を示す図である。
【符号の説明】
【０１４２】
１      物品関連情報提供システム
２      携帯電話機
３      広告
４      ポスター
５      ショーウィンドウ
６      物品関連情報提供サーバ
８      ネットワーク
９      広告場所タグ
１０      掲示場所タグ
１１      展示場所タグ
１４      掲示枠
１９      ＲＦＩＤタグ
２０      ＣＰＵ
２２      ＲＡＭ
３０      ハードディスク装置
３２      タグ情報データベース
３６      コンテンツ情報データベース
５３      ＬＣＤ
５４      キー
６０      タグリーダ
９１      広告タグ
９２      ポスタータグ
９３      ディスプレイタグ
１０１      ＣＰＵ
１０２      ＲＯＭ
１０３      ＲＡＭ
２１０      送信部
２１２      受信部
【図１】
2005182676.tif 000003
【図２】
2005182676.tif 000004
【図３】
2005182676.tif 000005
【図４】
2005182676.tif 000006
【図５】
2005182676.tif 000007
【図６】
2005182676.tif 000008
【図７】
2005182676.tif 000009
【図８】
2005182676.tif 000010
【図９】
2005182676.tif 000011
【図１０】
2005182676.tif 000012
【図１１】
2005182676.tif 000013
【図１２】
2005182676.tif 000014
【図１３】
2005182676.tif 000015
【図１４】
2005182676.tif 000016
【図１５】
2005182676.tif 000017
【図１６】
2005182676.tif 000018
【図１７】
2005182676.tif 000019
【図１８】
2005182676.tif 000020
【図１９】
2005182676.tif 000021
【図２０】
2005182676.tif 000022
【図２１】
2005182676.tif 000023
【図２２】
2005182676.tif 000024
【図２３】
2005182676.tif 000025
【図２４】
2005182676.tif 000026
【図２５】
2005182676.tif 000027
【図２６】
2005182676.tif 000028
【図２７】
2005182676.tif 000029
【図２８】
2005182676.tif 000030
【図２９】
2005182676.tif 000031
【図３０】
2005182676.tif 000032
【図３１】
2005182676.tif 000033
【図３２】
2005182676.tif 000034
【図３３】
2005182676.tif 000035